(57)【要約】ワイヤレス送信／受信ユニット（ＷＴＲＵ）はサウンディング参照信号（ＳＲＳ）リソース構成情報を受信し得る。ＷＴＲＵはまたダウンリンク制御情報（ＤＣＩ）中でビーム表示（ビームＩＤ）情報、およびパネルＩＤ情報を受信し、パネルＩＤ情報またはＳＲＳリソース構成情報に基づいてＷＴＲＵパネルを決定し得る。ＷＴＲＵはまた、１つまたは複数のスイープパラメータを用いて、ビームＩＤに基づいて、各決定されたＷＴＲＵパネルに対するアップリンク（ＵＬ）ビームスイープを決定し得る。
2021520705.tif 000002
【特許請求の範囲】
【請求項１】
トランシーバとプロセッサを備えたワイヤレス送信／受信ユニット（ＷＴＲＵ）であって、
前記トランシーバは、サウンディング参照信号（ＳＲＳ）リソース構成情報する受信するようこに構成され、
前記トランシーバは、ダウンリンク制御情報（ＤＣＩ）中でＳＲＳトリガ、ビーム表示（ビームＩＤ）、およびパネル表示（パネルＩＤ）を受信するようにさらに構成され、前記ＳＲＳトリガは１つまたは複数のＳＲＳリソースセットに対するものであり、
前記プロセッサは、前記ビームＩＤまたは前記ＳＲＳリソース構成情報に基づいて、１つまたは複数のＷＴＲＵパネルを決定するように構成され、
前記プロセッサは、前記ビームＩＤに基づいて、前記決定された１つまたは複数のＷＴＲＵパネルに対するアップリンク（ＵＬ）ビームスイープを決定するようにさらに構成され、前記ビームＩＤは、開始ビームＩＤ、ステップサイズ、および終了ビームＩＤを含み、または前記ビームＩＤは、中央および１／２範囲パラメータ、もしくはビームＩＤのリストを含み、
前記トランシーバは、物理アップリンク共有チャネル（ＰＵＳＣＨ）に関して少なくとも２つのＷＴＲＵパネルに対する１つまたは複数のＳＲＳリソースインジケータ（ＳＲＩ）を受信するようにさらに構成されている、
ＷＴＲＵ。
【請求項２】
前記ＵＬビームスイープは、前記ＤＣＩ中の前記ＳＲＳトリガ中の繰り返しフィールド、最後のまたは前のＷＴＲＵダウンリンク（ＤＬ）またはＵＬビーム測定結果にさらに基づいて、決定される、請求項１に記載のＷＴＲＵ。
【請求項３】
前記繰り返しフィールドは、Ｕ−２またはＵ−３プロシージャを実行するＷＴＲＵに関して、前記ＷＴＲＵで空間領域送信フィルタがオンであるかオフであるかを示す、請求項２に記載のＷＴＲＵ。
【請求項４】
前記ＳＲＳリソース構成情報は、前記１つまたは複数のＳＲＳリソースセットのうちのＳＲＳリソースセットまたはＳＲＳリソースとＷＴＲＵパネルとの関連付けを含む、請求項１に記載のＷＴＲＵ。
【請求項５】
前記決定された１つまたは複数のＷＴＲＵパネルの各々は、マルチ送信受信ポイント（ＴＲＰ）動作のためのＴＲＰに関連付けられており、物理アップリンク共有チャネル（ＰＵＳＣＨ）についてＳＲＩが決定される、請求項１に記載のＷＴＲＵ。
【請求項６】
１つまたは複数の送信受信ポイント（ＴＲＰ）についての前記ビームＩＤに基づいて、前記決定された１つまたは複数のＷＴＲＵパネルの各々に対するＵＬビームスイープを決定するように構成された前記プロセッサをさらに備えた、請求項１に記載のＷＴＲＵ。
【請求項７】
各アップリンク（ＵＬ）帯域幅部分（ＢＷＰ）または複数のＵＬ  ＢＷＰについてのＳＲＳフィールド情報を受信して、他のビームＩＤを実行するようにさらに構成されたトランシーバをさらに備え、前記ＳＲＳフィールド情報は、ＳＲＳ  Ｒｅｓ  ｓｅｔフィールド、ＳＲＳ  Ｒｅｓ  ｒｅｐフィールド、ならびに、中央ＲＳ  ＩＤフィールドおよびビーム範囲フィールドを含むビーム表示フィールドを複数のサブフィールドを含む、請求項１に記載のＷＴＲＵ。
【請求項８】
ワイヤレス送信／受信ユニット（ＷＴＲＵ）によって実行される方法であって、
前記ＷＴＲＵによって、サウンディング参照信号（ＳＲＳ）リソース構成情報を受信することと、
前記ＷＴＲＵによって、ダウンリンク制御情報（ＤＣＩ）中でＳＲＳトリガ、ビーム表示（ビームＩＤ）、およびパネル表示（パネルＩＤ）を受信することであって、前記ＳＲＳトリガは１つまたは複数のＳＲＳリソースセットに対するものである、ことと、
前記ＷＴＲＵによって、前記ビームＩＤまたは前記ＳＲＳリソース構成情報に基づいて、１つまたは複数のＷＴＲＵパネルを決定することと、
前記ＷＴＲＵによって、前記ビームＩＤに基づいて、前記決定された１つまたは複数のＷＴＲＵパネルに対するアップリンク（ＵＬ）ビームスイープを決定することであって、前記ビームＩＤは、開始ビームＩＤ、ステップサイズ、および終了ビームＩＤを含む、または前記ビームＩＤは、中央および１／２範囲パラメータ、もしくはビームＩＤのリストを含む、ことと、
前記ＷＴＲＵによって、物理アップリンク共有チャネル（ＰＵＳＣＨ）に関して少なくとも２つのＷＴＲＵパネルに対する１つまたは複数のＳＲＳリソースインジケータ（ＳＲＩ）を受信することと、
を含む、方法。
【請求項９】
前記ＵＬビームスイープは、前記ＤＣＩ中の前記ＳＲＳトリガ中の繰り返しフィールド、最後のまたは前のＷＴＲＵダウンリンク（ＤＬ）またはＵＬビーム測定結果にさらに基づいて、決定される、請求項８に記載の方法。
【請求項１０】
前記繰り返しフィールドは、Ｕ−２またはＵ−３プロシージャを実行するＷＴＲＵに関して、前記ＷＴＲＵで空間領域送信フィルタがオンであるかオフであるかを示す、請求項９に記載の方法。
【請求項１１】
前記ＳＲＳリソース構成情報は、前記１つまたは複数のＳＲＳリソースセットのうちのＳＲＳリソースセットまたはＳＲＳリソースとＷＴＲＵパネルとの関連付けを含む、請求項８に記載の方法。
【請求項１２】
前記決定された１つまたは複数のＷＴＲＵパネルの各々は、マルチ送信受信ポイント（ＴＲＰ）動作のためのＴＲＰに関連付けられており、物理アップリンク共有チャネル（ＰＵＳＣＨ）についてＳＲＩが決定される、請求項８に記載の方法。
【請求項１３】
前記ＷＴＲＵによって、１つまたは複数の送信受信ポイント（ＴＲＰ）についての前記ビームＩＤに基づいて、前記決定された１つまたは複数のＷＴＲＵパネルの各々に対するＵＬビームスイープを決定することをさらに含む、請求項８に記載の方法。
【請求項１４】
前記ＷＴＲＵによって、各アップリンク（ＵＬ）帯域幅部分（ＢＷＰ）または複数のＵＬ  ＢＷＰについてのＳＲＳフィールド情報を受信して、他のビームＩＤを実行することをさらに含み、前記ＳＲＳフィールド情報は、ＳＲＳ  Ｒｅｓ  ｓｅｔフィールド、ＳＲＳ  Ｒｅｓ  ｒｅｐフィールド、ならびに、中央ＲＳ  ＩＤフィールドおよびビーム範囲フィールドを含むビーム表示フィールドを複数のサブフィールドを含む、請求項８に記載の方法。
【発明の詳細な説明】
【技術分野】
【０００１】
５Ｇ新無線のためのビーム表示に関する。
【背景技術】
【０００２】
関連出願の相互参照
本出願は、その内容が参照により本明細書に組み込まれる、２０１８年１０月３１日に出願された米国特許仮出願第６２／７５３６７９号、２０１８年８月８日に出願された米国特許仮出願第６２／７１６０４４号、および２０１８年４月４日に出願された米国特許仮出願第６２／６５２７００号の利益を主張する。
【０００３】
モバイル通信のために、ダウンリンク（ＤＬ）ビーム管理（ＢＭ）が利用され得る。ビーム対応はまた、新無線（ＮＲ）、５Ｇなどにおけるワイヤレス送信／受信ユニット（ＷＴＲＵ）能力として構成され得る。ＷＴＲＵは、ＤＬ  ＢＭからの決定された受信（ＲＸ）ビームに基づいて送信（ＴＸ）ビームを決定し得る。アップリンク（ＵＬ）ＢＭは、最適なまたは完全なビーム対応が送信受信ポイント（ＴＲＰ）とＷＴＲＵとの両方において満たされる場合は不要であり得る。
【０００４】
不完全なＷＴＲＵビーム対応の場合、すべてのまたは大部分のＷＴＲＵ  ＴＸビームのうちの最適なまたは最良のＵＬ  ＴＸビームを識別するために完全なまたはグローバルなビームスイープが利用され得る。しかしながら、大きいトレーニングオーバーヘッドにより、完全なビームスイープを使用することはＵＬ  ＢＭのために非効率的であり得る。高いレイテンシ、高い電力消費量、追加の処理時間などにより、トレーニングは望ましくないことがある。ネイバービームをトレーニングするためにより少ない量のリソースしか必要としないので、部分的なまたはローカルのビームスイープが利用され得る。しかしながら、部分的なまたはローカルのビームスイープも時々不十分であることがあり、または望ましくないことがある。
【発明の概要】
【０００５】
アップリンク（ＵＬ）ビーム管理もしくはビームスイープのためのサウンディング参照信号（ＳＲＳ）ビーム表示、複数の帯域幅部分（ＢＷＰ）のためのビーム表示、または複数の送信受信ポイント（ＴＲＰ）のためのビーム表示が、低レイテンシおよび効率的なビーム表示のために構成され得る。複数のＢＷＰのためのビーム表示は、複数のダウンリンク（ＤＬ）ＢＷＰのためのビーム表示、複数のＵＬ  ＢＷＰのためのビーム表示、ＵＬおよびＤＬ  ＢＷＰのためのビーム表示などをさらに含み得る。
【０００６】
ワイヤレス送信／受信ユニット（ＷＴＲＵ）はまた、複数のＳＲＳリソースの各ＳＲＳリソースのための空間関係情報を示すＳＲＳ構成メッセージを受信するように構成され得る。ＷＴＲＵは、各ＳＲＳリソースに関連する空間関係情報に基づいて各ＳＲＳリソースのための少なくとも空間領域送信フィルタまたはＵＬビームを決定し、決定された空間領域送信フィルタまたは決定されたＵＬビームを用いて各ＳＲＳリソースを送信し得る。ＷＴＲＵはまた、複数のＤＬ  ＢＷＰまたは複数のＵＬ  ＢＷＰのうちの少なくとも１つのための構成情報を受信し得る。
【０００７】
ＷＴＲＵは、複数のＴＲＰのための独立したまたは共同のビーム表示のために構成され得る。独立したビーム表示の場合、ＷＴＲＵは、複数のＴＲＰからＳＲＳビーム表示を含む構成情報を受信し、受信された構成情報に基づいて関連するＵＬビーム上で複数のＴＲＰの各々にＳＲＳリソースを使用して送信し得る。共同のビーム表示の場合、ＷＴＲＵは、リードＴＲＰから、リードおよび複数のＴＲＰのためのＳＲＳビーム表示を含む構成情報を受信し得る。ＷＴＲＵは、受信された構成情報に基づいて、関連するＵＬビーム上で複数のＴＲＰの各々にＳＲＳリソースを使用して送信し得る。
【図面の簡単な説明】
【０００８】
より詳細な理解は、添付の図面と併せて例として与えられる以下の説明から得ることができ、ここにおいて、図中の同様の参照番号は同様の要素を示す。
【０００９】
【図１Ａ】１つまたは複数の開示する実施形態が実装され得る例示的な通信システムを示すシステム図である。
【図１Ｂ】一実施形態による、図１Ａに示す通信システム内で使用され得る例示的なワイヤレス送信／受信ユニット（ＷＴＲＵ）を示すシステム図である。
【図１Ｃ】一実施形態による、図１Ａに示す通信システム内で使用され得る例示的な無線アクセスネットワーク（ＲＡＮ）と例示的なコアネットワーク（ＣＮ）とを示すシステム図である。
【図１Ｄ】一実施形態による、図１Ａに示す通信システム内で使用され得るさらなる例示的なＲＡＮとさらなる例示的なＣＮとを示すシステム図である。
【図２】送信受信ポイント（ＴＲＰ）およびＷＴＲＵアンテナモデルの一例を示す図である。
【図３】密集都市部環境および都市部マクロ環境のためのベースラインの大規模アンテナ構造の例を伴う表である。
【図４】Ｕ−３プロシージャのための完全なスイープとローカルなスイープとの一例を示す図である。
【図５】ダウンリンク（ＤＬ）参照信号（ＲＳ）とアップリンク（ＵＬ）サウンディング参照信号（ＳＲＳ）送信（ＴＸ）ビームとの間の空間関係の例を伴う表である。
【図６】ビーム管理（ＢＭ）のためのシグナリングの一例を示す図である。
【図７】ＢＭのためのシグナリングの別の例を示す図である。
【図８】ＢＭのためのシグナリングの別の例を示す図である。
【図９】複数のＤＬ帯域幅部分（ＢＷＰ）のためのビーム表示のためのダウンリンク制御情報（ＤＣＩ）／送信構成インジケータ（ＴＣＩ）の一例を示す図である。
【図１０】複数のＤＬ  ＢＷＰのためのＴＣＩビーム表示の例を伴う表である。
【図１１】複数のＤＬ  ＢＷＰのためのビーム表示のためのハイブリッド解決策の例を伴う表である。
【図１２】複数のＵＬ  ＢＷＰにわたるＢＭのためのＳＲＳビーム表示のためにＤＣＩまたはＴＣＩを利用する一例を示す図である。
【図１３】複数のＤＬおよびＵＬ  ＢＷＰのためのビーム表示のためのＴＣＩ表ベースの構成の例を伴う表である。
【図１４】空間領域送信フィルタとのＳＲＳリソースの関連付けの例を伴う表である。
【図１５】ＷＴＲＵ  Ｕ−３スイープ範囲の一例を示す図である。
【図１６】ＷＴＲＵ  Ｕ−３スイープ範囲の別の例を示す図である。
【図１７】ＷＴＲＵ  Ｕ−３スイープ範囲決定のための暗黙的なプロシージャの一例を示す図である。
【図１８】ＷＴＲＵがＵＬ  ＢＭのためのトリガされたＳＲＳリソースのためのスイープビームを決定するためのプロシージャの一例を示す図である。
【図１９】最適なＷＴＲＵビーム表示の一例を示す図である。
【図２０】最適なＷＴＲＵビーム表示の別の例を示す図である。
【図２１】最適なＷＴＲＵビーム表示の別の例を示す図である。
【図２２】独立した物理アップリンク共有チャネル（ＰＵＳＣＨ）ビーム表示と共同のＰＵＳＣＨビーム表示との一例を示す図である。
【図２３】パネル固有のＳＲＳ関連付けの一例を示す図である。
【図２４】ＰＵＳＣＨ送信のためのＳＲＳリソース関連付けベースのビーム表示の一例を示す図である。
【図２５】物理アップリンク制御チャネル（ＰＵＣＣＨ）またはＰＵＳＣＨのためのビーム表示のためのＴＣＩ状態を使用する一例を示す図である。
【図２６】図２５との関連でＰＵＣＣＨまたはＰＵＳＣＨのためのビーム表示のためのＴＣＩエントリの例を伴う表である。
【図２７】ＵＬ  ＢＭのためのトリガされたＷＴＲＵパネルおよびビームを決定するためのプロシージャである。
【発明を実施するための形態】
【００１０】
図１Ａは、１つまたは複数の開示する実施形態が実装され得る例示的な通信システム１００を示す図である。通信システム１００は、複数のワイヤレスユーザに音声、データ、ビデオ、メッセージング、ブロードキャストなどのコンテンツを与える多元接続システムであり得る。通信システム１００は、ワイヤレス帯域幅を含むシステムリソースの共有を通してそのようなコンテンツに複数のワイヤレスユーザがアクセスすることを可能にし得る。たとえば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワード離散フーリエ変換拡散ＯＦＤＭ（ＺＴ−ＵＷ−ＤＴＳ−ｓ  ＯＦＤＭ：ｚｅｒｏ−ｔａｉｌ  ｕｎｉｑｕｅ−ｗｏｒｄ  ｄｉｓｃｒｅｔｅ  Ｆｏｕｒｉｅｒ  ｔｒａｎｓｆｏｒｍ  Ｓｐｒｅａｄ  ＯＦＤＭ）、ユニークワードＯＦＤＭ（ＵＷ−ＯＦＤＭ：ｕｎｉｑｕｅ  ｗｏｒｄ  ＯＦＤＭ）、リソースブロックフィルタ処理済みＯＦＤＭ（ｒｅｓｏｕｒｃｅ  ｂｌｏｃｋ−ｆｉｌｔｅｒｅｄ  ＯＦＤＭ）、フィルタバンクマルチキャリア（ＦＢＭＣ：ｆｉｌｔｅｒ  ｂａｎｋ  ｍｕｌｔｉｃａｒｒｉｅｒ）などの１つまたは複数のチャネルアクセス方法を採用し得る。
【００１１】
図１Ａに示すように、通信システム１００は、ワイヤレス送信／受信ユニット（ＷＴＲＵ）１０２ａ、１０２ｂ、１０２ｃ、１０２ｄと、無線アクセスネットワーク（ＲＡＮ）１０４と、コアネットワーク（ＣＮ）１０６と、公衆交換電話網（ＰＳＴＮ）１０８と、インターネット１１０と、他のネットワーク１１２とを含み得るが、開示する実施形態が、任意の数のＷＴＲＵ、基地局、ネットワーク、および／またはネットワーク要素を企図することを諒解されよう。ＷＴＲＵ１０２ａ、１０２ｂ、１０２ｃ、１０２ｄの各々は、ワイヤレス環境において動作および／または通信するように構成された任意のタイプのデバイスであり得る。例として、いずれかが局（ＳＴＡ）と呼ばれることがあるＷＴＲＵ１０２ａ、１０２ｂ、１０２ｃ、１０２ｄは、ワイヤレス信号を送信および／または受信するように構成され得、ユーザ機器（ＵＥ）、ユーザ端末（ＵＴ）、移動局、固定またはモバイル加入者ユニット、サブスクリプションベースのユニット、ページャ、セルラー電話、携帯情報端末（ＰＤＡ）、スマートフォン、ラップトップ、ネットブック、パーソナルコンピュータ、ワイヤレスセンサ、ホットスポットまたはＷｉ−Ｆｉデバイス、モノのインターネット（ＩｏＴ）デバイス、ウォッチまたは他のウェアラブルなもの、ヘッドマウントディスプレイ（ＨＭＤ）、ビークル、ドローン、医療デバイスおよびアプリケーション（たとえば、遠隔手術）、産業用デバイスおよびアプリケーション（たとえば、産業および／または自動処理チェーンコンテキストで動作するロボットおよび／または他のワイヤレスデバイス）、家庭用電子機器デバイス、商用および／または産業用ワイヤレスネットワーク上で動作するデバイスなどを含み得る。ＷＴＲＵ１０２ａ、１０２ｂ、１０２ｃおよび１０２ｄのいずれかは、互換的にＵＥと呼ばれることがある。
【００１２】
通信システム１００はまた、基地局１１４ａおよび／または基地局１１４ｂを含み得る。基地局１１４ａ、１１４ｂの各々は、ＣＮ１０６、インターネット１１０、および／または他のネットワーク１１２などの１つまたは複数の通信ネットワークへのアクセスを容易にするためにＷＴＲＵ１０２ａ、１０２ｂ、１０２ｃ、１０２ｄのうちの少なくとも１つとワイヤレスにインターフェースするように構成された任意のタイプのデバイスであり得る。例として、基地局１１４ａ、１１４ｂは、送受信基地局（ＢＴＳ）、ノードＢ、ｅノードＢ、ホームノードＢ、ホームｅノードＢ、次世代ノードＢ（ｇＮＢ）、新無線（ＮＲ：ｎｅｗ  ｒａｄｉｏ）ノードＢ、送信受信ポイント（ＴＲＰ）、サイトコントローラ、アクセスポイント（ＡＰ）、ワイヤレスルータなどであり得る。基地局１１４ａ、１１４ｂが単一の要素として示されているが、基地局１１４ａ、１１４ｂが任意の数の相互接続された基地局および／またはネットワーク要素を含み得ることを諒解されよう。
【００１３】
基地局１１４ａは、他の基地局および／または基地局コントローラ（ＢＳＣ）、無線ネットワークコントローラ（ＲＮＣ）、リレーノードなどのネットワーク要素（図示せず）をも含み得るＲＡＮ１０４の一部であり得る。基地局１１４ａおよび／または基地局１１４ｂは、セル（図示せず）と呼ばれることがある１つまたは複数のキャリア周波数上でワイヤレス信号を送信および／または受信するように構成され得る。これらの周波数は、認可スペクトル、無認可スペクトル、または認可スペクトルと無認可スペクトルとの組合せ中にあり得る。セルは、比較的固定され得るか、または時間とともに変化し得る特定の地理的エリアにワイヤレスサービスのためのカバレージを与え得る。セルは、セルセクタにさらに分割され得る。たとえば、基地局１１４ａに関連するセルは、３つのセクタに分割され得る。したがって、一実施形態では、基地局１１４ａは、３つのトランシーバ、すなわち、セルのセクタごとに１つを含み得る。一実施形態では、基地局１１４ａは、多入力多出力（ＭＩＭＯ）技術を採用し得、セルのセクタごとに複数のトランシーバを利用し得る。たとえば、所望の空間的方向で信号を送信および／または受信するために、ビームフォーミングが使用され得る。
【００１４】
基地局１１４ａ、１１４ｂは、任意の好適なワイヤレス通信リンク（たとえば、無線周波数（ＲＦ）、マイクロ波、センチメートル波、マイクロメートル波、赤外線（ＩＲ）、紫外線（ＵＶ）、可視光など）であり得るエアインターフェース１１６を介してＷＴＲＵ１０２ａ、１０２ｂ、１０２ｃ、１０２ｄのうちの１つまたは複数と通信し得る。エアインターフェース１１６は、任意の好適な無線アクセス技術（ＲＡＴ）を使用して確立され得る。
【００１５】
より詳細には、上記のように、通信システム１００は、多元接続システムであり得、ＣＤＭＡ、ＴＤＭＡ、ＦＤＭＡ、ＯＦＤＭＡ、ＳＣ−ＦＤＭＡなどの１つまたは複数のチャネルアクセス方式を採用し得る。たとえば、ＲＡＮ１０４中の基地局１１４ａおよびＷＴＲＵ１０２ａ、１０２ｂ、１０２ｃは、広帯域ＣＤＭＡ（Ｗ−ＣＤＭＡ）を使用してエアインターフェース１１６を確立し得るユニバーサル移動体（電話）通信システム（ＵＭＴＳ）地上波無線アクセス（ＵＴＲＡ）などの無線技術を実装し得る。Ｗ−ＣＤＭＡは、高速パケットアクセス（ＨＳＰＡ）および／または発展型ＨＳＰＡ（ＨＳＰＡ＋）などの通信プロトコルを含み得る。ＨＳＰＡは、高速ダウンリンク（ＤＬ）パケットアクセス（ＨＳＤＰＡ）および／または高速アップリンク（ＵＬ）パケットアクセス（ＨＳＵＰＡ）を含み得る。
【００１６】
一実施形態では、基地局１１４ａおよびＷＴＲＵ１０２ａ、１０２ｂ、１０２ｃは、ロングタームエボリューション（ＬＴＥ）および／またはＬＴＥアドバンスト（ＬＴＥ−Ａ）および／またはＬＴＥアドバンストプロ（ＬＴＥ−Ａ  Ｐｒｏ）を使用してエアインターフェース１１６を確立し得る発展型ＵＭＴＳ地上波無線アクセス（Ｅ−ＵＴＲＡ）などの無線技術を実装し得る。
【００１７】
一実施形態では、基地局１１４ａおよびＷＴＲＵ１０２ａ、１０２ｂ、１０２ｃは、ＮＲを使用してエアインターフェース１１６を確立し得るＮＲ無線アクセスなどの無線技術を実装し得る。
【００１８】
一実施形態では、基地局１１４ａおよびＷＴＲＵ１０２ａ、１０２ｂ、１０２ｃは、複数の無線アクセス技術を実装し得る。たとえば、基地局１１４ａおよびＷＴＲＵ１０２ａ、１０２ｂ、１０２ｃは、たとえば、デュアル接続性（ＤＣ）原理を使用してＬＴＥ無線アクセスとＮＲ無線アクセスとを一緒に実装し得る。したがって、ＷＴＲＵ１０２ａ、１０２ｂ、１０２ｃによって利用されるエアインターフェースは、複数のタイプの無線アクセス技術および／または複数のタイプの基地局（たとえば、ｅＮＢおよびｇＮＢ）との間で送られる通信によって特徴づけられ得る。
【００１９】
他の実施形態では、基地局１１４ａおよびＷＴＲＵ１０２ａ、１０２ｂ、１０２ｃは、米国電気電子技術者協会（ＩＥＥＥ）８０２．１１（すなわち、ワイヤレスフィデリティー（Ｗｉ−Ｆｉ））、ＩＥＥＥ８０２．１６（すなわち、ワールドワイドインターオペラビリティフォーマイクロウェーブアクセス（ＷｉＭＡＸ））、ｃｄｍａ２０００、ｃｄｍａ２０００  １Ｘ、ｃｄｍａ２０００ＥＶ−ＤＯ、Ｉｎｔｅｒｉｍ  Ｓｔａｎｄａｒｄ２０００（ＩＳ−２０００）、Ｉｎｔｅｒｉｍ  Ｓｔａｎｄａｒｄ９５（ＩＳ−９５）、Ｉｎｔｅｒｉｍ  Ｓｔａｎｄａｒｄ８５６（ＩＳ−８５６）、グローバルシステムフォーモバイルコミュニケーションズ（ＧＳＭ）、ＧＳＭ進化型高速データレート（ＥＤＧＥ）、ＧＳＭ  ＥＤＧＥ（ＧＥＲＡＮ）などの無線技術を実装し得る。
【００２０】
図１Ａ中の基地局１１４ｂは、たとえば、ワイヤレスルータ、ホームノードＢ、ホームｅノードＢ、またはアクセスポイントであり得、職場、家庭、ビークル、構内、産業設備、（たとえば、ドローンが使用するための）空中回廊、道路などの局所的エリアでのワイヤレス接続性を容易にすることのために任意の好適なＲＡＴを利用し得る。一実施形態では、基地局１１４ｂおよびＷＴＲＵ１０２ｃ、１０２ｄは、ワイヤレスローカルエリアネットワーク（ＷＬＡＮ）を確立するためにＩＥＥＥ８０２．１１などの無線技術を実装し得る。一実施形態では、基地局１１４ｂおよびＷＴＲＵ１０２ｃ、１０２ｄは、ワイヤレスパーソナルエリアネットワーク（ＷＰＡＮ）を確立するためにＩＥＥＥ８０２．１５などの無線技術を実装し得る。また別の実施形態中で、基地局１１４ｂおよびＷＴＲＵ１０２ｃ、１０２ｄは、ピコセルまたはフェムトセルを確立するためにセルラーベースのＲＡＴ（たとえば、Ｗ−ＣＤＭＡ、ｃｄｍａ２０００、ＧＳＭ、ＬＴＥ、ＬＴＥ−Ａ、ＬＴＥ−Ａ  Ｐｒｏ、ＮＲなど）を利用し得る。図１Ａに示すように、基地局１１４ｂは、インターネット１１０への直接接続を有し得る。したがって、基地局１１４ｂは、ＣＮ１０６を介してインターネット１１０にアクセスする必要がないことがある。
【００２１】
ＲＡＮ１０４は、ＷＴＲＵ１０２ａ、１０２ｂ、１０２ｃ、１０２ｄのうちの１つまたは複数に音声、データ、アプリケーション、および／またはボイスオーバーインターネットプロトコル（ＶｏＩＰ）サービスを与えるように構成された任意のタイプのネットワークであり得るＣＮ１０６と通信していることがある。データは、異なるスループット要件、レイテンシ要件、誤り耐性要件、信頼性要件、データスループット要件、モビリティ要件などの変動するサービス品質（ＱｏＳ）要件を有し得る。ＣＮ１０６は、呼の制御、課金サービス、モバイルロケーションベースのサービス、プリペイド発呼、インターネット接続性、ビデオ配信などを与え、および／またはユーザ認証などの高レベルなセキュリティ関数を実行し得る。図１Ａには示されていないが、ＲＡＮ１０４および／またはＣＮ１０６が、ＲＡＮ１０４と同じＲＡＴまたは異なるＲＡＴを採用する他のＲＡＮと直接的または間接的に通信していることがあることを諒解されよう。たとえば、ＮＲ無線技術を利用していることがあるＲＡＮ１０４に接続されることに加えて、ＣＮ１０６はまた、ＧＳＭ、ＵＭＴＳ、ＣＤＭＡ２０００、ＷｉＭＡＸ、Ｅ−ＵＴＲＡ、またはＷｉＦｉ無線技術を採用する別のＲＡＮ（図示せず）と通信していることがある。
【００２２】
ＣＮ１０６はまた、ＰＳＴＮ１０８、インターネット１１０、および／または他のネットワーク１１２にアクセスするためにＷＴＲＵ１０２ａ、１０２ｂ、１０２ｃ、１０２ｄのためのゲートウェイとして働き得る。ＰＳＴＮ１０８は、簡易電話サービス（ＰＯＴＳ）を与える回線交換電話網を含み得る。インターネット１１０は、ＴＣＰ／ＩＰインターネットプロトコルスイート中で伝送制御プロトコル（ＴＣＰ）、ユーザデータグラムプロトコル（ＵＤＰ）および／またはインターネットプロトコル（ＩＰ）などの共通の通信プロトコルを使用する相互接続されたコンピュータネットワークおよびデバイスのグローバルシステムを含み得る。他のネットワーク１１２は、他のサービスプロバイダによって所有および／または動作されるワイヤードおよび／またはワイヤレス通信ネットワークを含み得る。たとえば、他のネットワーク１１２は、ＲＡＮ１０４と同じＲＡＴまたは異なるＲＡＴを採用し得る１つまたは複数のＲＡＮに接続された別のＣＮを含み得る。
【００２３】
通信システム１００中でＷＴＲＵ１０２ａ、１０２ｂ、１０２ｃ、１０２ｄの一部または全部は、マルチモード能力を含み得る（たとえば、ＷＴＲＵ１０２ａ、１０２ｂ、１０２ｃ、１０２ｄは、異なるワイヤレスリンクを介して異なるワイヤレスネットワークと通信するための複数のトランシーバを含み得る）。たとえば、図１Ａに示すＷＴＲＵ１０２ｃは、セルラーベースの無線技術を採用し得る基地局１１４ａと通信し、ＩＥＥＥ８０２無線技術を採用し得る基地局１１４ｂと通信するように構成され得る。
【００２４】
図１Ｂは、例示的なＷＴＲＵ１０２を示すシステム図である。図１Ｂに示すように、ＷＴＲＵ１０２は、特に、プロセッサ１１８、トランシーバ１２０、送信／受信要素１２２、スピーカ／マイクロフォン１２４、キーパッド１２６、ディスプレイ／タッチパッド１２８、取外し不能メモリ１３０、取外し可能メモリ１３２、電源１３４、全地球測位システム（ＧＰＳ）チップセット１３６、および／または他の周辺機器１３８を含み得る。ＷＴＲＵ１０２が、実施形態に一致したままでありながら、上記の要素の任意の部分組合せを含み得ることを諒解されよう。
【００２５】
プロセッサ１１８は、汎用プロセッサ、専用プロセッサ、従来のプロセッサ、デジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他のタイプの集積回路（ＩＣ）、状態機械などであり得る。プロセッサ１１８は、信号コーディング、データ処理、電力制御、入出力処理、および／またはＷＴＲＵ１０２がワイヤレス環境において動作することを可能にする任意の他の機能を実行し得る。プロセッサ１１８は、送信／受信要素１２２に結合され得るトランシーバ１２０に結合され得る。図１Ｂに、別個の構成要素としてプロセッサ１１８とトランシーバ１２０とを示しているが、プロセッサ１１８とトランシーバ１２０とが電子パッケージまたはチップ中で一緒に統合され得ることを諒解されよう。
【００２６】
送信／受信要素１２２は、エアインターフェース１１６を介して基地局（たとえば、基地局１１４ａ）に信号を送信し、それから信号を受信するように構成され得る。たとえば、一実施形態では、送信／受信要素１２２は、ＲＦ信号を送信および／または受信するように構成されたアンテナであり得る。一実施形態では、送信／受信要素１２２は、たとえば、ＩＲ、ＵＶ、または可視光信号を送信および／または受信するように構成されたエミッタ／検出器であり得る。また別の実施形態では、送信／受信要素１２２は、ＲＦ信号と光信号との両方を送信および／または受信するように構成され得る。送信／受信要素１２２が、ワイヤレス信号の任意の組合せを送信および／または受信するように構成され得ることを諒解されよう。
【００２７】
送信／受信要素１２２が単一の要素として図１Ｂに示されているが、ＷＴＲＵ１０２は任意の数の送信／受信要素１２２を含み得る。より具体的には、ＷＴＲＵ１０２は、ＭＩＭＯ技術を採用し得る。したがって、一実施形態では、ＷＴＲＵ１０２は、エアインターフェース１１６を介してワイヤレス信号を送信および受信するための２つ以上の送信／受信要素１２２（たとえば、複数のアンテナ）を含み得る。
【００２８】
トランシーバ１２０は、送信／受信要素１２２によって送信されるべきである信号を変調し、送信／受信要素１２２によって受信された信号を復調するように構成され得る。上記のように、ＷＴＲＵ１０２は、マルチモード能力を有し得る。したがって、トランシーバ１２０は、ＷＴＲＵ１０２が、たとえば、ＮＲおよびＩＥＥＥ８０２．１１などの複数のＲＡＴを介して通信することを可能にするための複数のトランシーバを含み得る。
【００２９】
ＷＴＲＵ１０２のプロセッサ１１８は、スピーカ／マイクロフォン１２４、キーパッド１２６、および／またはディスプレイ／タッチパッド１２８（たとえば、液晶ディスプレイ（ＬＣＤ）ディスプレイユニットまたは有機発光ダイオード（ＯＬＥＤ）ディスプレイユニット）に結合され得、それらからユーザ入力データを受信し得る。プロセッサ１１８はまた、スピーカ／マイクロフォン１２４、キーパッド１２６、および／またはディスプレイ／タッチパッド１２８にユーザデータを出力し得る。さらに、プロセッサ１１８は、取外し不能メモリ１３０および／または取外し可能メモリ１３２などの任意のタイプの好適なメモリから情報にアクセスし、それの中にデータを記憶し得る。取外し不能メモリ１３０は、ランダムアクセスメモリ（ＲＡＭ）、読取り専用メモリ（ＲＯＭ）、ハードディスク、または他のタイプのメモリストレージデバイスを含み得る。取外し可能メモリ１３２は、加入者識別モジュール（ＳＩＭ）カード、メモリスティック、セキュアデジタル（ＳＤ）メモリカードなどを含み得る。他の実施形態では、プロセッサ１１８は、サーバまたはホームコンピュータ（図示せず）上など、ＷＴＲＵ１０２上に物理的に位置しないメモリからの情報にアクセスし、その中にデータを記憶し得る。
【００３０】
プロセッサ１１８は、電源１３４から電力を受電し得、ＷＴＲＵ１０２中の他の構成要素に電力を分散および／または制御するように構成され得る。電源１３４は、ＷＴＲＵ１０２に電力供給するための任意の好適なデバイスであり得る。たとえば、電源１３４は、１つまたは複数の乾電池バッテリ（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含み得る。
【００３１】
プロセッサ１１８はまた、ＷＴＲＵ１０２の現在のロケーションに関するロケーション情報（たとえば、経度および緯度）を与えるように構成され得るＧＰＳチップセット１３６に結合され得る。ＧＰＳチップセット１３６からの情報に加えて、または、それの代わりに、ＷＴＲＵ１０２は、基地局（たとえば、基地局１１４ａ、１１４ｂ）からエアインターフェース１１６を介してロケーション情報を受信し、および／または２つ以上の近くの基地局から受信している信号のタイミングに基づいてそれのロケーションを決定し得る。ＷＴＲＵ１０２が、実施形態に一致したままでありながら、任意の好適なロケーション決定方法によってロケーション情報を捕捉し得ることを諒解されよう。
【００３２】
プロセッサ１１８は、追加の特徴、機能および／またはワイヤードもしくはワイヤレス接続性を与える１つまたは複数のソフトウェアおよび／またはハードウェアモジュールを含み得る他の周辺機器１３８にさらに結合され得る。たとえば、周辺機器１３８は、加速度計、ｅコンパス、衛星トランシーバ、（写真および／またはビデオのための）デジタルカメラ、ユニバーサルシリアルバス（ＵＳＢ）ポート、振動デバイス、テレビジョントランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザ、バーチャルリアリティおよび／または拡張現実（ＶＲ／ＡＲ）デバイス、アクティビティトラッカなどを含み得る。周辺機器１３８は、１つまたは複数のセンサを含み得る。センサは、ジャイロスコープ、加速度計、ホール効果センサ、磁力計、向きセンサ、近接センサ、温度センサ、時間センサ、ジオロケーションセンサ、高度計、光センサ、タッチセンサ、磁力計、気圧計、ジェスチャセンサ、生体センサ、湿度センサなどのうちの１つまたは複数であり得る。
【００３３】
ＷＴＲＵ１０２は、（たとえば（たとえば、送信のための）ＵＬと（たとえば、受信のための）ＤＬとの両方のための特定のサブフレームに関連付けられた）信号の一部または全部の送信および受信が並列、同時などであり得る全二重無線を含み得る。全二重無線は、ハードウェア（たとえば、チョーク）またはプロセッサ（たとえば、別個のプロセッサ（図示せず）またはビアプロセッサ１１８）を介した信号処理のいずれかを介して自己干渉をなくすおよび／または実質的に小さくするために干渉管理ユニットを含み得る。一実施形態では、ＷＴＲＵ１０２は、（（たとえば、送信のための）ＵＬまたは（たとえば、受信のための）ＤＬのいずれかのための特定のサブフレームに関連付けられた））信号の一部または全部の送信および受信のための半二重無線を含み得る。
【００３４】
図１Ｃは、一実施形態による、ＲＡＮ１０４およびＣＮ１０６を示すシステム図である。上記のように、ＲＡＮ１０４は、エアインターフェース１１６を介してＷＴＲＵ１０２ａ、１０２ｂ、１０２ｃと通信するためにＥ−ＵＴＲＡ無線技術を採用し得る。ＲＡＮ１０４はまた、ＣＮ１０６と通信していることがある。
【００３５】
ＲＡＮ１０４は、ｅノードＢ１６０ａ、１６０ｂ、１６０ｃを含み得るが、ＲＡＮ１０４が、実施形態に一致したままでありながら、任意の数のｅノードＢを含み得ることを諒解されよう。ｅノードＢ１６０ａ、１６０ｂ、１６０ｃはそれぞれ、エアインターフェース１１６を介してＷＴＲＵ１０２ａ、１０２ｂ、１０２ｃと通信するための１つまたは複数のトランシーバを含み得る。一実施形態では、ｅノードＢ１６０ａ、１６０ｂ、１６０ｃは、ＭＩＭＯ技術を実装し得る。したがって、ｅノードＢ１６０ａは、たとえば、ＷＴＲＵ１０２ａにワイヤレス信号を送信するおよび／またはそれからワイヤレス信号を受信するために複数のアンテナを使用し得る。
【００３６】
ｅノードＢ１６０ａ、１６０ｂ、１６０ｃの各々は、特定のセル（図示せず）に関連付けられ得、無線リソース管理決定、ハンドオーバ決定、ＵＬおよび／またはＤＬにおけるユーザのスケジューリングなどを扱うように構成され得る。図１Ｃに示すように、ｅノードＢ１６０ａ、１６０ｂ、１６０ｃは、Ｘ２インターフェースを介して互いと通信し得る。
【００３７】
図１Ｃに示すＣＮ１０６は、モビリティ管理エンティティ（ＭＭＥ）１６２と、サービングゲートウェイ（ＳＧＷ）１６４と、パケットデータネットワーク（ＰＤＮ）ゲートウェイ（またはＰＧＷ）１６６とを含み得る。上記の要素の各々がＣＮ１０６の一部として示されているが、これらの要素のいずれかがＣＮオペレータ以外のエンティティによって所有および／または動作され得ることを諒解されよう。
【００３８】
ＭＭＥ１６２は、Ｓ１インターフェースを介してＲＡＮ１０４中のｅノードＢ１６２ａ、１６２ｂ、１６２ｃの各々に接続され得、制御ノードとして働き得る。たとえば、ＭＭＥ１６２は、ＷＴＲＵ１０２ａ、１０２ｂ、１０２ｃのユーザを認証すること、ベアラのアクティブ化／非アクティブ化、ＷＴＲＵ１０２ａ、１０２ｂ、１０２ｃの初期アタッチ（initial attach）中に特定のサービングゲートウェイを選択することなどを担当し得る。ＭＭＥ１６２は、ＲＡＮ１０４とＧＳＭおよび／またはＷ−ＣＤＭＡなどの他の無線技術を採用する他のＲＡＮ（図示せず）との間で切り替えるための制御プレーン機能を与え得る。
【００３９】
ＳＧＷ１６４は、Ｓ１インターフェースを介してＲＡＮ１０４中のｅノードＢ１６０ａ、１６０ｂ、１６０ｃの各々に接続され得る。ＳＧＷ１６４は、概して、ＷＴＲＵ１０２ａ、１０２ｂ、１０２ｃとの間でユーザデータパケットをルーティングおよび転送し得る。ＳＧＷ１６４は、ｅノードＢ間のハンドオーバ中にユーザプレーンをアンカリングすること、ＤＬデータがＷＴＲＵ１０２ａ、１０２ｂ、１０２ｃのために利用可能であるときにページングをトリガすること、ＷＴＲＵ１０２ａ、１０２ｂ、１０２ｃのコンテキストを管理および記憶することなどの他の機能を実行し得る。
【００４０】
ＳＧＷ１６４は、ＷＴＲＵ１０２ａ、１０２ｂ、１０２ｃとＩＰ対応デバイスとの間の通信を容易にするためにインターネット１１０などのパケット交換ネットワークへのアクセスをＷＴＲＵ１０２ａ、１０２ｂ、１０２ｃに与え得るＰＧＷ１６６に接続され得る。
【００４１】
ＣＮ１０６は、他のネットワークとの通信を容易にし得る。たとえば、ＣＮ１０６は、ＷＴＲＵ１０２ａ、１０２ｂ、１０２ｃと従来の固定通信デバイスとの間の通信を容易にするためにＰＳＴＮ１０８などの回線交換ネットワークへのアクセスをＷＴＲＵ１０２ａ、１０２ｂ、１０２ｃに与え得る。たとえば、ＣＮ１０６は、ＣＮ１０６とＰＳＴＮ１０８との間のインターフェースとして働くＩＰゲートウェイ（たとえば、ＩＰマルチメディアサブシステム（ＩＭＳ）サーバ）を含み得るかまたはそれと通信し得る。さらに、ＣＮ１０６は、他のサービスプロバイダによって所有および／または動作される他のワイヤードおよび／またはワイヤレスネットワークを含み得る他のネットワーク１１２へのアクセスをＷＴＲＵ１０２ａ、１０２ｂ、１０２ｃに与え得る。
【００４２】
ＷＴＲＵがワイヤレス端末として図１Ａ〜図１Ｄに記載されているが、そのような端末が（たとえば、一時的にまたは永続的に）使用し得るいくつかの代表的な実施形態では、ワイヤード通信が通信ネットワークとインターフェースすると考えられる。
【００４３】
代表的な実施形態では、他のネットワーク１１２は、ＷＬＡＮであり得る。
【００４４】
インフラストラクチャ基本サービスセット（ＢＳＳ）モードのＷＬＡＮは、ＢＳＳのためのアクセスポイント（ＡＰ）とＡＰに関連する１つまたは複数の局（ＳＴＡ）とを有し得る。ＡＰは、配信システム（ＤＳ）またはＢＳＳを出入りするトラフィックを搬送する別のタイプのワイヤード／ワイヤレスネットワークへのアクセスまたはインターフェースを有し得る。ＢＳＳの外部から発信するＳＴＡへのトラフィックは、ＡＰを通して到着し得、ＳＴＡに送出され得る。ＢＳＳ外部の宛先にＳＴＡから発信されたトラフィックは、それぞれの宛先に配信されるためにＡＰに送られ得る。ＢＳＳ内のＳＴＡ間のトラフィックは、ＡＰを通して送られることがあり、たとえば、ここで、ソースＳＴＡはＡＰにトラフィックを送り得、ＡＰは、宛先ＳＴＡにトラフィックを配信し得る。ＢＳＳ内のＳＴＡ間のトラフィックは、ピアツーピアトラフィックと考慮され、および／またはそう呼ばれることがある。ピアツーピアトラフィックは、ダイレクトリンクセットアップ（ＤＬＳ）を用いてソースＳＴＡと宛先ＳＴＡとの間で（たとえば、それらの間で直接）送られ得る。いくつかの代表的な実施形態では、ＤＬＳは、８０２．１１ｅ  ＤＬＳまたは８０２．１１ｚトンネリングされたＤＬＳ（ＴＤＬＳ：ｔｕｎｎｅｌｅｄ  ＤＬＳ）を使用し得る。独立ＢＳＳ（ＩＢＳＳ）モードを使用するＷＬＡＮはＡＰを有しないことがあり、ＩＢＳＳ内のまたはそれを使用するＳＴＡ（たとえば、ＳＴＡのすべて）は互いに直接通信し得る。ＩＢＳＳ通信モードはまた、「アドホック」通信モードと呼ぶことがある。
【００４５】
８０２．１１ａｃインフラストラクチャ動作モードまたは同様の動作モードを使用するとき、ＡＰは、１次チャネルなどの固定チャネル上でビーコンを送信し得る。１次チャネルは、固定幅（たとえば、２０メガヘルツ（ＭＨｚ）幅の帯域幅）であるか、またはシグナリングを介して設定される動的に設定される幅であり得る。１次チャネルは、ＢＳＳの動作チャネルであり得、ＡＰとの接続を確立するためにＳＴＡによって使用され得る。いくつかの代表的な実施形態では、キャリア検知多重アクセス／衝突回避（ＣＳＭＡ／ＣＡ）が、たとえば８０２．１１システム中に実装され得る。ＣＳＭＡ／ＣＡでは、ＡＰを含むＳＴＡ（たとえば、あらゆるＳＴＡ）が１次チャネルを感知し得る。１次チャネルが特定のＳＴＡによって感知／検出されるおよび／またはビジーであると決定される場合、特定のＳＴＡはオフに戻り得る。１つのＳＴＡ（たとえば、ただ１つの局）が、所与のＢＳＳ中で所与の時間に送信し得る。
【００４６】
高スループット（ＨＴ）のＳＴＡは、４０ＭＨｚ幅のチャネルを形成するために、たとえば、隣接するまたは隣接していない２０ＭＨｚのチャネルとの１次の２０ＭＨｚのチャネルの組合せを介した通信のために４０ＭＨｚ幅のチャネルを使用し得る。
【００４７】
極高スループット（ＶＨＴ）のＳＴＡは、２０ＭＨｚ、４０ＭＨｚ、８０ＭＨｚ、および／または１６０ＭＨｚ幅のチャネルをサポートし得る。４０ＭＨｚおよび／または８０ＭＨｚのチャネルは、連続する２０ＭＨｚのチャネルを組み合わせることによって形成され得る。１６０ＭＨｚのチャネルは、８つの連続する２０ＭＨｚのチャネルを組み合わせることによって、または８０＋８０構成と呼ばれることがある２つの不連続の８０ＭＨｚのチャネルを組み合わせることによって形成され得る。８０＋８０構成では、データは、チャネル符号化後に、２つのストリームにデータを分割し得るセグメントパーサを通してパスされ得る。逆高速フーリエ変換（ＩＦＦＴ）処理、または時間領域処理が別々に各ストリームに対して行われ得る。ストリームは、２つの８０ＭＨｚのチャネル上にマッピングされ得、データは、送信ＳＴＡによって送信され得る。受信ＳＴＡの受信機では、８０＋８０構成について上記で説明した動作が逆行され得、組み合わされたデータが媒体アクセス制御（ＭＡＣ）に送られ得る。
【００４８】
８０２．１１ａｆおよび８０２．１１ａｈによってサブ１ギガヘルツ（ＧＨｚ）動作モードがサポートされる。チャネル動作帯域幅およびキャリアは、８０２．１１ｎおよび８０２．１１ａｃで使用されるものと比較して８０２．１１ａｆおよび８０２．１１ａｈでは低減される。８０２．１１ａｆは、ＴＶホワイトスペース（ＴＶＷＳ）スペクトル中の５ＭＨｚ、１０ＭＨｚ、および２０ＭＨｚの帯域幅をサポートし、８０２．１１ａｈは、非ＴＶＷＳスペクトルを使用して１ＭＨｚ、２ＭＨｚ、４ＭＨｚ、８ＭＨｚ、および１６ＭＨｚの帯域幅をサポートする。代表的な実施形態によれば、８０２．１１ａｈは、マクロカバレージエリア中のＭＴＣデバイスなどのメータ型制御／マシン型通信（ＭＴＣ）をサポートし得る。ＭＴＣデバイスは、いくつかの能力、たとえば、いくつかのおよび／または限定された帯域幅のサポート（たとえば、それだけのサポート）を含む限定された能力を有し得る。ＭＴＣデバイスは、（たとえば、非常に長いバッテリ寿命を維持するために）しきい値を上回るバッテリ寿命をもつバッテリを含み得る。
【００４９】
８０２．１１ｎ、８０２．１１ａｃ、８０２．１１ａｆ、および８０２．１１ａｈなどの複数のチャネルおよびチャネル帯域幅をサポートし得るＷＬＡＮシステムは、１次チャネルとして指定され得るチャネルを含む。１次チャネルは、ＢＳＳ中のすべてのＳＴＡによってサポートされる最大の共通動作帯域幅に等しい帯域幅を有し得る。１次チャネルの帯域幅は、ＢＳＳ中で動作するすべてのＳＴＡの中から、最小の帯域幅動作モードをサポートするＳＴＡによって設定および／または限定され得る。８０２．１１ａｈの例では、ＡＰおよびＢＳＳ中の他のＳＴＡが、２ＭＨｚ、４ＭＨｚ、８ＭＨｚ、１６ＭＨｚ、および／または他のチャネル帯域幅動作モードをサポートする場合でも、１次チャネルは、１ＭＨｚモードをサポートする（たとえば、それだけをサポートする）ＳＴＡ（たとえば、ＭＴＣタイプのデバイス）について１ＭＨｚ幅であり得る。キャリア検知および／またはネットワーク割振りベクトル（ＮＡＶ）の設定は、１次チャネルのステータスに依存し得る。ＡＰに送信する１ＭＨｚの動作モードのＳＴＡなどのＳＴＡのために１次チャネルがビジーである場合、周波数帯域の大部分がアイドルのままであり、利用可能であり得る場合であっても、周波数帯域全体ビジーであると見なされ得る。
【００５０】
米国では、８０２．１１ａｈによって使用され得る利用可能な周波数帯域は、９０２ＭＨｚから９２８ＭＨｚまである。韓国では、利用可能な周波数帯域は、９１７．５ＭＨｚから９２３．５ＭＨｚまでである。日本では、利用可能な周波数帯域は、９１６．５ＭＨｚから９２７．５ＭＨｚまでである。８０２．１１ａｈのために利用可能な総帯域幅は、国コードに応じて６ＭＨｚから２６ＭＨｚである。
【００５１】
図１Ｄは、一実施形態による、ＲＡＮ１０４およびＣＮ１０６を示すシステム図である。上記のように、ＲＡＮ１０４は、エアインターフェース１１６を介してＷＴＲＵ１０２ａ、１０２ｂ、１０２ｃと通信するためにＮＲ無線技術を採用し得る。ＲＡＮ１０４はまた、ＣＮ１０６と通信していることがある。
【００５２】
ＲＡＮ１０４は、ｇＮＢ１８０ａ、１８０ｂ、１８０ｃを含み得るが、ＲＡＮ１０４が、実施形態に一致したままでありながら、任意の数のｇＮＢを含み得ることを諒解されよう。ｇＮＢ１８０ａ、１８０ｂ、１８０ｃはそれぞれ、エアインターフェース１１６を介してＷＴＲＵ１０２ａ、１０２ｂ、１０２ｃと通信するための１つまたは複数のトランシーバを含み得る。一実施形態では、ｇＮＢ１８０ａ、１８０ｂ、１８０ｃは、ＭＩＭＯ技術を実装し得る。同じく、一例では、ｇＮＢ１８０ａ、１８０ｂ、１８０ｃは、ＷＴＲＵ１０２ａ、１０２ｂ、１０２ｃに信号を送信し、および／またはそれから信号を受信するためにビームフォーミングを利用し得る。したがって、ｇＮＢ１８０ａは、たとえば、ＷＴＲＵ１０２ａにワイヤレス信号を送信し、および／またはそれからワイヤレス信号を受信するために複数のアンテナを使用し得る。一実施形態では、ｇＮＢ１８０ａ、１８０ｂ、１８０ｃは、キャリアアグリゲーション技術を実装し得る。たとえば、ｇＮＢ１８０ａは、ＷＴＲＵ１０２ａに複数のＣＣ（図示せず）を送信し得る。これらのＣＣのサブセットは、無認可スペクトル上にあり得るが、残りのＣＣは、認可スペクトル上にあり得る。一実施形態では、ｇＮＢ１８０ａ、１８０ｂ、１８０ｃは、協調マルチポイント（ＣｏＭＰ）技術を実装し得る。たとえば、ＷＴＲＵ１０２ａは、ｇＮＢ１８０ａおよびｇＮＢ１８０ｂ（および／またはｇＮＢ１８０ｃ）から協調通信を受信し得る。
【００５３】
ＷＴＲＵ１０２ａ、１０２ｂ、１０２ｃは、スケーラブルな数秘学に関連する通信を使用してｇＮＢ１８０ａ、１８０ｂ、１８０ｃと通信し得る。たとえば、ＯＦＤＭシンボル間隔および／またはＯＦＤＭサブキャリア間隔（ＳＣＳ）は、異なる通信、異なるセル、および／またはワイヤレス通信スペクトルの異なる部分ごとに変動し得る。ＷＴＲＵ１０２ａ、１０２ｂ、１０２ｃは、（たとえば、様々な数のＯＦＤＭシンボルを含んでいるおよび／または変動する長さの絶対時間の間続く）様々なまたはスケーラブルな長さのサブフレームまたは送信時間間隔（ＴＴＩ）を使用してｇＮＢ１８０ａ、１８０ｂ、１８０ｃと通信し得る。
【００５４】
ｇＮＢ１８０ａ、１８０ｂ、１８０ｃは、スタンドアロン構成および／または非スタンドアロン構成中のＷＴＲＵ１０２ａ、１０２ｂ、１０２ｃと通信するように構成され得る。スタンドアロン構成では、ＷＴＲＵ１０２ａ、１０２ｂ、１０２ｃは、他のＲＡＮ（たとえば、ｅノードＢ１６０ａ、１６０ｂ、１６０ｃなど）にアクセスすることもなしにｇＮＢ１８０ａ、１８０ｂ、１８０ｃと通信し得る。スタンドアロン構成では、ＷＴＲＵ１０２ａ、１０２ｂ、１０２ｃは、モビリティアンカーポイントとしてｇＮＢ１８０ａ、１８０ｂ、１８０ｃのうちの１つまたは複数を利用し得る。スタンドアロン構成では、ＷＴＲＵ１０２ａ、１０２ｂ、１０２ｃは、無認可帯域中の信号を使用してｇＮＢ１８０ａ、１８０ｂ、１８０ｃと通信し得る。非スタンドアロン構成では、ＷＴＲＵ１０２ａ、１０２ｂ、１０２ｃは、ｅノードＢ１６０ａ、１６０ｂ、１６０ｃなどの別のＲＡＮとも通信しながら／それにも接続しながらｇＮＢ１８０ａ、１８０ｂ、１８０ｃと通信し得る／それに接続し得る。たとえば、ＷＴＲＵ１０２ａ、１０２ｂ、１０２ｃは、１つまたは複数のｇＮＢ１８０ａ、１８０ｂ、１８０ｃおよび１つまたは複数のｅノードＢ１６０ａ、１６０ｂ、１６０ｃと実質的に同時に通信するためにＤＣ原理を実装し得る。非スタンドアロン構成では、ｅノードＢ１６０ａ、１６０ｂ、１６０ｃは、ＷＴＲＵ１０２ａ、１０２ｂ、１０２ｃのためのモビリティアンカーとして働き得、ｇＮＢ１８０ａ、１８０ｂ、１８０ｃは、ＷＴＲＵ１０２ａ、１０２ｂ、１０２ｃをサービスするための追加のカバレージおよび／またはスループットを与え得る。
【００５５】
ｇＮＢ１８０ａ、１８０ｂ、１８０ｃの各々は、特定のセル（図示せず）に関連付けられ得、無線リソース管理の決定、ハンドオーバの決定、ＵＬおよび／またはＤＬにおけるユーザのスケジューリング、ネットワークスライシングのサポート、デュアル接続性、ＮＲとＥ−ＵＴＲＡとの間の相互接続、ユーザプレーン機能（ＵＰＦ）１８４ａ、１８４ｂに向けたユーザプレーンデータのルーティング、アクセスおよびモビリティ管理機能（ＡＭＦ）１８２ａ、１８２ｂに向けた制御プレーン情報のルーティングなどを扱うように構成され得る。図１Ｄに示すように、ｇＮＢ１８０ａ、１８０ｂ、１８０ｃは、Ｘｎインターフェースを介して互いと通信し得る。
【００５６】
図１Ｄに示すＣＮ１０６は、少なくとも１つのＡＭＦ１８２ａ、１８２ｂと、少なくとも１つのＵＰＦ１８４ａ、１８４ｂと、少なくとも１つのセッション管理機能（ＳＭＦ）１８３ａ、１８３ｂと、場合によっては、データネットワーク（ＤＮ）１８５ａ、１８５ｂとを含み得る。上記の要素の各々がＣＮ１０６の一部として示されているが、これらの要素のいずれかがＣＮオペレータ以外のエンティティによって所有および／または動作され得ることを諒解されよう。
【００５７】
ＡＭＦ１８２ａ、１８２ｂは、Ｎ２インターフェースを介してＲＡＮ１０４中のｇＮＢ１８０ａ、１８０ｂ、１８０ｃのうちの１つまたは複数に接続され得、制御ノードとして働き得る。たとえば、ＡＭＦ１８２ａ、１８２ｂは、ＷＴＲＵ１０２ａ、１０２ｂ、１０２ｃのユーザを認証すること、ネットワークスライシング（たとえば、異なる要件をもつ異なるプロトコルデータユニット（ＰＤＵ）セッションの扱い）のサポート、特定のＳＭＦ１８３ａ、１８３ｂを選択すること、登録エリアの管理、非アクセス層（ＮＡＳ）シグナリングの終了、モビリティ管理などを担当し得る。ネットワークスライシングは、利用されたＷＴＲＵ１０２ａ、１０２ｂ、１０２ｃであるサービスのタイプに基づいてＷＴＲＵ１０２ａ、１０２ｂ、１０２ｃのＣＮのサポートをカスタマイズするために、ＡＭＦ１８２ａ、１８２ｂによって使用され得る。たとえば、異なるネットワークスライスは、高信頼低遅延通信（ＵＲＬＬＣ）アクセスに依拠するサービス、拡張大規模モバイルブロードバンド（ｅＭＢＢ）アクセスに依拠するサービス、ＭＴＣアクセスのサービスなどの異なる使用事例のために確立され得る。ＡＭＦ１８２ａ、１８２ｂは、ＲＡＮ１０４とＬＴＥ、ＬＴＥ−Ａ、ＬＴＥ−Ａ  Ｐｒｏ、および／またはＷｉＦｉなどの非第３世代パートナーシッププロジェクト（３ＧＰＰ）アクセス技術などの他の無線技術を採用する他のＲＡＮ（図示せず）との間で切り替えるための制御プレーン機能を与え得る。
【００５８】
ＳＭＦ１８３ａ、１８３ｂは、Ｎ１１インターフェースを介してＣＮ１０６中のＡＭＦ１８２ａ、１８２ｂに接続され得る。ＳＭＦ１８３ａ、１８３ｂはまた、Ｎ４インターフェースを介してＣＮ１０６中のＵＰＦ１８４ａ、１８４ｂに接続され得る。ＳＭＦ１８３ａ、１８３ｂは、ＵＰＦ１８４ａ、１８４ｂを選択および制御し、ＵＰＦ１８４ａ、１８４ｂを通してトラフィックのルーティングを構成し得る。ＳＭＦ１８３ａ、１８３ｂは、ＷＴＲＵのＩＰアドレスを管理し、割り振ること、ＰＤＵセッションを管理すること、ポリシーの実施およびＱｏＳを制御すること、ＵＬデータの通知を与えることなどの他の機能を実行し得る。ＰＤＵセッションのタイプは、ＩＰベースのもの、非ＩＰベースのもの、イーサネットベースのものなどであり得る。
【００５９】
ＵＰＦ１８４ａ、１８４ｂは、ＷＴＲＵ１０２ａ、１０２ｂ、１０２ｃとＩＰ対応デバイスとの間の通信を容易にするためにインターネット１１０などのパケット交換ネットワークへのアクセスをＷＴＲＵ１０２ａ、１０２ｂ、１０２ｃに与え得るＮ３インターフェースを介してＲＡＮ１０４中のｇＮＢ１８０ａ、１８０ｂ、１８０ｃのうちの１つまたは複数に接続され得る。ＵＰＦ１８４、１８４ｂは、パケットをルーティングおよび転送すること、ユーザプレーンのポリシーを強制すること、マルチホームＰＤＵセッションをサポートすること、ユーザプレーンＱｏＳを扱うこと、ＤＬパケットをバッファリングすること、モビリティアンカリングを与えることなどの他の機能を実行し得る。
【００６０】
ＣＮ１０６は、他のネットワークとの通信を容易にし得る。たとえば、ＣＮ１０６は、ＣＮ１０６とＰＳＴＮ１０８との間のインターフェースとして働くＩＰゲートウェイ（たとえば、ＩＰマルチメディアサブシステム（ＩＭＳ）サーバ）を含み得るかまたはそれと通信し得る。さらに、ＣＮ１０６は、他のサービスプロバイダによって所有および／または動作される他のワイヤードおよび／またはワイヤレスネットワークを含み得る他のネットワーク１１２へのアクセスをＷＴＲＵ１０２ａ、１０２ｂ、１０２ｃに与え得る。一実施形態では、ＷＴＲＵ１０２ａ、１０２ｂ、１０２ｃは、ＵＰＦ１８４ａ、１８４ｂへのＮ３インターフェースとＵＰＦ１８４ａ、１８４ｂとＤＮ１８５ａ、１８５ｂとの間のＮ６インターフェースとを介してＵＰＦ１８４ａ、１８４ｂを通してローカルＤＮ１８５ａ、１８５ｂに接続され得る。
【００６１】
図１Ａ〜図１Ｄおよび図１Ａ〜図１Ｄの対応する説明に鑑みて、ＷＴＲＵ１０２ａ〜ｄ、基地局１１４ａ〜ｂ、ｅノードＢ１６０ａ〜ｃ、ＭＭＥ１６２、ＳＧＷ１６４、ＰＧＷ１６６、ｇＮＢ１８０ａ〜ｃ、ＡＭＦ１８２ａ〜ａｂ、ＵＰＦ１８４ａ〜ｂ、ＳＭＦ１８３ａ〜ｂ、ＤＮ１８５ａ〜ｂ、および／または本明細書で説明する任意の他のデバイスのうちの１つまたは複数に関して本明細書で説明する機能のうちの１つもしくは複数またはすべては、１つまたは複数のエミュレーションデバイス（図示せず）によって実行され得る。エミュレーションデバイスは、本明細書で説明する機能のうちの１つもしくは複数またはすべてをエミュレートするように構成された１つまたは複数のデバイスであり得る。たとえば、エミュレーションデバイスは、他のデバイスをテストする、ならびに／またはネットワークおよび／もしくはＷＴＲＵ機能をシミュレートするために使用され得る。
【００６２】
エミュレーションデバイスは、ラボ環境でおよび／またはオペレータネットワーク環境で他のデバイスの１つまたは複数のテストを実施するように設計され得る。たとえば、１つまたは複数のエミュレーションデバイスは、通信ネットワーク内の他のデバイスをテストするためにワイヤードおよび／またはワイヤレス通信ネットワークの一部として完全にまたは部分的に実装および／または展開されながら、１つもしくは複数またはすべての機能を実行し得る。１つまたは複数のエミュレーションデバイスは、ワイヤードおよび／またはワイヤレス通信ネットワークの一部として一時的に実装／展開されながら、１つもしくは複数またはすべての機能を実行し得る。エミュレーションデバイスは、テストのために別のデバイスに直接結合され得、および／またはオーバージエアワイヤレス通信を使用してテストを実行し得る。
【００６３】
１つまたは複数のエミュレーションデバイスは、ワイヤードおよび／またはワイヤレス通信ネットワークの一部として実装／展開されることなしに、すべてを含む１つまたは複数の機能を実行し得る。たとえば、エミュレーションデバイスは、１つまたは複数の構成要素のテストを実施するために試験所ならびに／または展開されていない（たとえば、テスト用の）ワイヤードおよび／もしくはワイヤレス通信ネットワーク中のテストシナリオで利用され得る。１つまたは複数のエミュレーションデバイスは、テスト機器であり得る。データを送信および／または受信するためにエミュレーションデバイスによって、直接ＲＦ結合および／または（たとえば、１つまたは複数のアンテナを含み得る）ＲＦ回路を介したワイヤレス通信が使用され得る。
【００６４】
次世代モバイル通信では、ｅＭＢＢ、大規模マシン型通信（ｍＭＴＣ）、ＵＲＬＬＣなどは、７００ＭＨｚから８０ＧＨｚまでにわたるスペクトル帯域中での可能な展開である。次世代モバイルは、いずれかのまたは両方の認可スペクトルおよび無認可スペクトルを利用し得る。
【００６５】
サブ６ＧＨｚ送信の場合、多入力多出力（ＭＩＭＯ）、単入力多出力（ＳＩＭＯ）、多入力単出力（ＭＩＳＯ）などの複数アンテナ技法が可能な展開である。複数アンテナ技法は、ダイバーシティ利得、多重化利得、ビームフォーミング、アレイ利得などを与え得る。さらに、複数のＷＴＲＵが単一の中心ノードと通信する場合、マルチユーザＭＩＭＯ（ＭＵ−ＭＩＭＯ）は、時間および／または周波数的にリソースの同じおよび／または重複セット上で同時に異なるＷＴＲＵへの複数データストリームの送信を容易にすることによってシステムスループットを増加し得る。シングルユーザＭＩＭＯ（ＳＵ−ＭＩＭＯ）の場合、同じ中心ノードは、ＭＵ−ＭＩＭＯの場合のように複数のＷＴＲＵではなく同じＷＴＲＵに複数のデータストリームを送信し得る。
【００６６】
ミリ波（ｍｍＷａｖｅ）周波数での複数アンテナ送信は、サブ６ＧＨｚ複数アンテナ技法とはわずかに異なり得る。これは、ｍｍＷａｖｅ周波数における伝搬特性が異なることと、ネットワークノードまたはＷＴＲＵがアンテナ要素よりも少ない数のＲＦチェーンを有する可能性があることとに起因し得る。
【００６７】
図２は、ＴＲＰおよびＷＴＲＵアンテナモデルの一例を示す。大規模アンテナモデルは、垂直寸法ごとにＭｇ個のアンテナパネルおよび水平寸法ごとにＮｇ個のアンテナパネルとして構成され得る。各アンテナパネルは、偏波有りでまたは無しで構成され得る。各パネルは、異なるアレイの要素を備えるか、または１つもしくは複数のビームを有し得る。タイミングおよび位相はパネルにわたって較正されないことがあるが、複数のパネルが、同じネットワークデバイス、ネットワークノード、基地局などの中に搭載され得る。ベースライン大規模アンテナ構造は、図３の例に示されているように動作周波数帯域によって異なり得る。
【００６８】
ｍｍＷａｖｅ周波数でのプリコーディングは、デジタル、アナログ、デジタルとアナログとのハイブリッドなどであり得る。デジタルプリコーディングは、正確であり、等化と組み合わされ得る。デジタル符号化は、サブ６ＧＨｚ周波数中のＳＵ、ＭＵ、マルチセルプリコーディングなどとして構成され得る。ｍｍＷａｖｅ周波数では、アンテナ要素と比較して限られた数のＲＦチェーンとチャネルのスパース性質とがデジタルビームフォーミングの課題を作成し得る。アナログビームフォーミングは、各アンテナ要素上でアナログ位相シフタを使用することによって限られた数のＲＦチェーン問題を克服し得る。それは、ＩＥＥＥ８０２．１１ａｄで最適なセクタを識別するためにセクタレベルのスイープ中に、アンテナビームにセクタを改良するためにビーム改良中に、およびチャネルの変更に基づいて時間にわたってサブビームを調整するためにビーム追跡中に使用され得る。
【００６９】
ハイブリッドビームフォーミングでは、プリコーダは、アナログ領域とデジタル領域とを利用し得る。各領域は、プリコーディングを使用し、異なる構造制約、たとえば、アナログ領域中で行列を組み合わせるための定包絡線制約と行列を組み合わせ得る。したがって、ハードウェア複雑性とシステムパフォーマンスとの間のトレードオフが存在し得る。ハイブリッドビームフォーミングは、スパースチャネルプロパティによりデジタルプリコーディングパフォーマンスを達成し、マルチユーザまたはマルチストリーム多重化を利用することが可能であり得る。しかしながら、限られた数のＲＦチェーンでは、それは、ｍｍＷａｖｅの外部の構成にとって望ましくないことがある。
【００７０】
ＬＴＥでは、サウンディング参照信号（ＳＲＳ）は、より広い帯域幅にわたるＵＬチャネル品質を推定するためにｅノードＢなどのネットワークノードのＵＬ方向にＷＴＲＵによって送信される参照信号（ＲＳ）であり得る。ネットワークノードは、ＵＬ周波数選択スケジューリング、ＵＬタイミング推定などのためにこの情報を使用し得る。単一のＳＲＳ、周期的なＳＲＳ、非周期的なＳＲＳなどが利用され得る。単一のＳＲＳ送信と周期的なＳＲＳ送信とは、上位レイヤ、無線リソース制御（ＲＲＣ）などのシグナリングによって構成され得るトリガタイプ０ＳＲＳ送信として分類され得る。非周期的なＳＲＳ送信は、ＲＲＣによって構成され得るが、ダウンリンク制御情報（ＤＣＩ）によってトリガされ得るトリガタイプ１ＳＲＳ送信として分類され得る。ネットワークは、ＷＴＲＵ固有のＳＲＳ構成を用いてＷＴＲＵを構成し得る。ＷＴＲＵ固有のＳＲＳ構成は、注目する帯域幅全体に対する広帯域ＳＲＳ、ＷＴＲＵが送信間で周波数ホッピングを行うことを可能にする狭帯域ＳＲＳなどを用いて示される時間領域リソース、サブフレームリソース、周波数領域リソースなどを与え得る。
【００７１】
異なるＷＴＲＵは、異なるＳＲＳ帯域幅を有し得る。各ＳＲＳ帯域幅は、４つのリソースブロック（ＲＢ）の倍数であり得る。異なるＷＴＲＵは、同じコムで構成され得るが、異なるサイクリックシフトまたは位相回転で構成され得、したがって、ＳＲＳ送信は、同様の周波数スパンにわたって互いに直交する。異なるＷＴＲＵは、異なる周波数スパンとの周波数多重化を可能にするために様々なコムを利用し得る。
【００７２】
ＬＴＥでは、ＳＲＳの電力制御は、次式によって決定され得る。
ＰSRS＝ｍｉｎ｛ＰCMAX,C，Ｐ0,PUSCH＋α．ＰＬDL＋１０．ｌｏｇ10（ＭSRS）＋δ＋ＰSRS｝  式１
ここで、ＭSRSは、ＲＢの数として表されるＳＲＳ送信の帯域幅であり、式の最後のＰSRSは、構成可能なオフセットである。したがって、ＳＲＳ送信電力は、ＳＲＳ送信の帯域幅および追加の電力オフセットをもつ帯域幅に基づき得る。
【００７３】
ＢＭは、より高い帯域周波数を利用し得る。高周波において、チャネルは、より高い経路損失とより多くの急激な変化とを経験し得る。高周波では、高い伝搬損失を補償するために高いビームフォーミング利得を達成するために、大規模アンテナアレイが使用され得る。得られた結合損失は、所望のデータスループットまたはカバレージをサポートするために高レベルに保たれ得る。指向性ビームベースの通信構成は、正確なビームペアリングを必要とする。最適なビーム方向は、方位と高度との両方での到来角と離脱角とに関して現実のチャネルに関連付けられ得る。最適なビーム方向は、変化するチャネルに伴って動的に調整され得る。
【００７４】
ＤＬおよびＵＬ  ＢＭプロシージャは、Ｐ−１と、Ｐ−２と、Ｐ−３と、Ｕ−１と、Ｕ−２と、Ｕ−３とを含み得る。Ｐ−１の場合、ＷＴＲＵは、ＴＲＰ  ＴＸビームおよびＷＴＲＵ  ＲＸビームの選択のために異なるＴＲＰ  ＴＸビームを測定し得る。ＴＲＰにおけるビームフォーミングの場合、異なるビームのセットからのイントラ／インターＴＲＰ  ＴＸスイープが実行され得る。ＷＴＲＵにおけるビームフォーミングの場合、異なるビームのセットからのＷＴＲＵ  ＲＸビームスイープが実行され得る。ＴＲＰ  ＴＸビームとＷＴＲＵ  ＲＸビームとは、一緒にまたは連続的に決定され得る。
【００７５】
Ｐ−２の場合、ＷＴＲＵは、インター／イントラＴＲＰ  ＴＸビームを場合によっては変更するために異なるＴＲＰ  ＴＸビーム上で測定し得る。この構成は、ビームのＰ−１の場合よりもビーム改良のための場合によっては小さいセットから利用され得る。さらに、いくつかの構成では、Ｐ−２は、特殊な場合またはＰ−１のサブクラスであり得る。Ｐ−３の場合、ＷＴＲＵは、ビームフォーミングを用いてＷＴＲＵ  ＲＸビームを変更するために同じＴＲＰ  ＴＸビーム上で測定し得る。
【００７６】
Ｕ−１プロシージャは、ＷＴＲＵ  ＴＸビームまたはＴＲＰ  ＲＸビームの選択のために異なるＷＴＲＵ  ＴＸビーム上でのＴＲＰ測定を利用し得る。Ｕ−２プロシージャは、インター／イントラＴＲＰ  ＲＸビームを場合によっては変更または選択するために異なるＴＲＰ  ＲＸビーム上でのＴＲＰ測定を利用し得る。Ｕ−３プロシージャは、ＷＴＲＵがビームフォーミングを使用する場合にＷＴＲＵ  ＴＸビームを変更するために同じＴＲＰ  ＲＸビーム上でのＴＲＰ測定を利用し得る。
【００７７】
帯域幅部分（ＢＷＰ）は、所与のキャリア上の所与の数秘学（ｕ）での共通のＲＢの連続するサブセットから選択される物理ＲＢ（ＰＲＢ）の連続するセットを示し得る。ＤＬでは、ＷＴＲＵは、１つのキャリアまたはＤＬ  ＢＷＰがＷＴＲＵの観点から所与の時間にアクティブである状態で最高４つのＢＷＰで構成され得る。ＷＴＲＵは、アクティブなＢＷＰの外部の物理ダウンリンク共有チャネル（ＰＤＳＣＨ）、物理ダウンリンク制御チャネル（ＰＤＣＣＨ）、チャネル状態情報ＲＳ（ＣＳＩ−ＲＳ）、追跡参照信号（ＴＲＳ）などを受信することが予想されないことがある。
【００７８】
ＵＬでは、ＷＴＲＵは、１つのキャリアＢＷＰが所与の時間またはインスタンスにアクティブである状態で最高４つのキャリアＢＷＰで構成され得る。ＷＴＲＵが補助ＵＬで構成される場合、ＷＴＲＵは、補助ＵＬ中の最大で追加の４つのキャリアで構成され得る。一構成では、アクティブなＵＬ  ＢＷＰなどの１つのキャリアＢＷＰがＷＴＲＵの観点から所与の時間にアクティブであり得る。ＷＴＲＵは、アクティブなＢＷＰの外部の物理アップリンク共有チャネル（ＰＵＳＣＨ）または物理アップリンク制御チャネル（ＰＵＣＣＨ）を送信しないことがある。
【００７９】
ＢＷＰごとに、以下のパラメータが、一次セル（Ｐｃｅｌｌ）中のＤＬ  ＢＷＰのための探索空間のタイプのための制御リソースセット（ＣＯＲＥＳＥＴ）のために構成され得、ＤＣＩフォーマット１＿１中のＢＷＰインジケータフィールドは、アクティブなＤＬ  ＢＷＰを示すために使用され得、ＤＣＩフォーマット０＿１中のＢＷＰインジケータフィールドは、アクティブなＵＬ  ＢＷＰを示すために使用され得る。Ｐｃｅｌｌの場合、ＷＴＲＵは、上位レイヤパラメータによって、構成されたＤＬ  ＢＷＰのうちＤｅｆａｕｌｔ−ＤＬ−ＢＷＰ、Ｄｅｆａｕｌｔ−ＤＬ−ＢＷＰが与えられ得る。ＷＴＲＵが、上位レイヤを介してＤｅｆａｕｌｔ−ＤＬ−ＢＷＰパラメータを与えられない場合、デフォルトＢＷＰは最初のアクティブのＤＬ  ＢＷＰになり得る。いくつかの構成では、周波数ホッピングがアクティブ化される場合でも、ＳＲＳがＢＷＰ内で送信され得る。
【００８０】
図４は、Ｕ−３プロシージャのための完全なまたはグローバルなスイープ４０２と部分的なまたはローカルなスイープ４０４との一例を示す。完全なまたはグローバルなビームスイープは、すべてのまたは大部分のＷＴＲＵ  ＴＸビームから最適なＵＬ  ＴＸビームを識別するために使用され得、ＷＴＲＵにおいてビーム対応がないときに使用され得る。決定されたＲＸビームに基づいてＴＸビームの最適なサブセットをＷＴＲＵが知っているような部分的なビーム対応が知られているとき、部分的なまたはローカルなビームスイープが、ビームの最適なサブセット内の最適なＵＬ  ＴＸビームを識別するために使用され得る。
【００８１】
ＳＲＳ  ＴＸビーム表示は、ＳＲＳリソースによってまたはＤＬ  ＲＳによって通信され得る。ＤＬ  ＲＳは、ＣＳＩ−ＲＳ、同期信号ブロック（ＳＳＢ）などであり得る。図５は、ＤＬ  ＲＳとＵＬ  ＳＲＳ  ＴＸビームとの間の空間関係の例を伴う表である。いくつかの構成では、ＷＴＲＵへのインディケートまたは表示は、ＷＴＲＵがいくつかのタスク、動作、プロシージャなどを実行するためのコマンドであり得る。いくつかの構成では、受信されたコマンドも表示であり得る。
【００８２】
ＳＳＢ、ＳＳ／物理ブロードキャストチャネル（ＰＢＣＨ）ブロック、ＣＳＩ−ＲＳ、ＳＲＳなどであり得る参照ＲＳとターゲットＳＲＳとの間の空間関係の構成は、上位レイヤパラメータによって示され得る。たとえば、ＳＲＳ−ＳｐａｔｉａｌＲｅｌａｔｉｏｎＩｎｆｏが利用され得る。ＵＬ  ＢＭのためのＳＲＳビーム表示の詳細のために、同様のまたは異なるメッセージが必要とされ得る。構成されたＳＲＳ−ＳｐａｔｉａｌＲｅｌａｔｉｏｎＩｎｆｏに基づいてＵ−１、Ｕ−２、Ｕ−３などのためのビームスイープを実行することも望ましいことがある。ＷＴＲＵは、グローバルなまたはローカルなＴＸビームスイープのためのＳＲＳビーム表示を決定し、低レイテンシでＵＬ  ＢＭのための効率的なＳＲＳビーム表示のために構成されるなどであり得る。
【００８３】
複数のＢＷＰのためのビーム表示も望ましいことがある。高周波でのビームペアリンク（ＢＰＬ）ブロッキングに対するロバストネスのために、ＷＴＲＵは、ＰＤＣＣＨまたはＰＤＳＣＨ受信のための１つまたは複数のＤＬビームで構成され得る。各ＤＬビームは、ＳＳＢ、ＳＳ／ＰＢＣＨブロック、ＣＳＩ−ＲＳ、ＳＲＳなどのＤＬ  ＲＳによって表され得るかまたはそれに関連付けられ得る。関連するＤＬ  ＲＳは、ＢＷＰごとに、またはコンポジットキャリアもしくはコンポーネントキャリア（ＣＣ）ごとに構成または送信され得る。
【００８４】
ＷＴＲＵは、ＤＬまたはＵＬのための１つまたは複数のＢＷＰで構成され得る。所与の時間に、ＷＴＲＵごとに、ただ１つのＢＷＰが、それぞれ、ＤＬとＵＬとのためにアクティブであり得る。アクティブなＢＷＰは、利用可能な周波数／時間領域（Ｆ／Ｔ）リソース、必要とされる追加の帯域幅、無線環境劣化、干渉、経路損失などに基づいて動的に変化し得る。新しいアクティブなＢＷＰに切り替わるかまたは変化する前に、ＷＴＲＵは、ＱｏＳに基づいて候補ＢＷＰを考慮し、次いで、ターゲットのＢＷＰを選択し得る。ＷＴＲＵは、アクティブなＢＷＰの外部のＢＷＰを明示的にまたは暗黙的に測定するために上位レイヤ、ＲＲＣ、レイヤ２、ＭＡＣ制御要素（ＭＡＣ−ＣＥ）、Ｌ１制御、ＤＣＩなどを通して構成されるか、示されるか、またはトリガされ得る。同様に、ＷＴＲＵはまた、ＢＷＰごとベースのビーム測定、動的報告、および関連するビーム表示を実行し得る。ＷＴＲＵが複数のＢＷＰのための１つまたは複数のビームで構成される場合、低シグナリングオーバーヘッドをもつ異なる場合をサポートするために効率的なビーム表示機構が望まれる。
【００８５】
マルチＴＲＰのためのビーム表示が構成され得る。いくつかの構成では、ＷＴＲＵが受信することが予想され得るスケジュールされたＮＲ−ＰＤＳＣＨに対応するＮＲ−ＰＤＣＣＨの最大サポート数は、ＣＣに１つのＢＷＰの場合ＣＣごとに２つであり得る。パネルの向きが異なるので、ＷＴＲＵにおけるマルチパネルは、疑似コロケーション（ＱＣＬ）されないことがある。たとえば、２つのパネルが反対側を向き得る。低レイテンシで効率的なビーム表示はまた、ＵＬ  ＢＭのためのＳＲＳビーム表示と、複数のＢＷＰのためのビーム表示と、マルチＴＲＰ／マルチパネルのためのビーム表示とを含み得る。複数のＢＷＰのためのビーム表示は、複数のＤＬ  ＢＷＰのためのビーム表示と、複数のＵＬ  ＢＷＰのためのビーム表示と、ＵＬおよびＤＬ  ＢＷＰのためのビーム表示とをさらに含み得る。
【００８６】
構成情報に基づいて複数のＢＷＰからＤＬのためのＢＷＰとＵＬのためのＢＷＰとをアクティブ化することも実行され得る。構成情報に基づいて複数のＢＷＰのうちでＤＬのための少なくとも１つの候補ＢＷＰとＵＬのための少なくとも１つの候補ＢＷＰとを評価することも、ターゲットパフォーマンスを達成するために実行され得る。ＤＬのための少なくとも１つの評価された候補ＢＷＰとＵＬのための少なくとも１つの評価された候補ＢＷＰとに基づいてＤＬのためのＢＷＰとＵＬのためのＢＷＰとを動的に変更することも、いくつかの構成では実装され得る。
【００８７】
特定のビームのインデックスは、ＳＲＳ−ＳｐａｔｉａｌＲｅｌａｔｉｏｎＩｎｆｏなどの上位レイヤパラメータによって構成され得る。ＳＲＳリソース送信のためのＵＬビームはまた、ＳＲＳ−ＳｐａｔｉａｌＲｅｌａｔｉｏｎＩｎｆｏによって示される参照ＲＳリソースにターゲットＳＲＳリソースまたは送信されるべきＳＲＳリソースを関連付けることによって指定され得る。いくつかの構成では、完全なまたは部分的なビーム対応が保持する場合、ＳＲＳ−ＳｐａｔｉａｌＲｅｌａｔｉｏｎＩｎｆｏが、ＣＳＩ−ＲＳリソースまたはＳＳ／ＰＢＣＨリソースに設定され得る。完全な、部分的な、または無のビーム対応が保持する場合、ＳＲＳ−ＳｐａｔｉａｌＲｅｌａｔｉｏｎＩｎｆｏはまた、ＳＲＳリソースに設定され得る。構成された上位レイヤパラメータＳＲＳ−ＳｐａｔｉａｌＲｅｌａｔｉｏｎＩｎｆｏに基づいて、ＷＴＲＵは、ＳＲＳリソースを送信するために空間領域送信フィルタまたはビームを決定し得る。
【００８８】
各ＳＲＳリソースは、ＳＲＳ−ＳｐａｔｉａｌＲｅｌａｔｉｏｎＩｎｆｏなどの上位レイヤパラメータによって構成され得るか、または構成オーバーヘッドを低減するために、ＳＲＳリソースセット内のＳＲＳリソースは、複数のグループまたはサブセットに分割され得、ＳＲＳリソースのグループまたはサブセットごとに、単一のグループまたはサブ設定レベルの上位レイヤパラメータＳＲＳ−ＳｐａｔｉａｌＲｅｌａｔｉｏｎＩｎｆｏがあり得る。構成は、ＳＲＳリソースセット内のＳＲＳリソースのＮ個のグループまたはサブセットを含み得る。Ｎの値は、１以上であり得る。Ｎが１に等しいとき、ＳＲＳリソースセット内のＳＲＳリソースは、１つの単一の上位レイヤパラメータで構成され、設定レベルパラメータとして考慮され得る。
【００８９】
セット内のＳＲＳリソースのいずれも上位レイヤパラメータで構成されていないかまたは特定のビームのインデックスを示すようにあらかじめ定義されていない場合、ＷＴＲＵは、異なる空間領域送信フィルタまたはＵＬ  ＴＸビーム方向とともにこれらのＳＲＳリソースを使用して送信し得る。この動作は、ＷＴＲＵビームフォーミング能力、構成されたＵＬ  ＴＸビームフォーミング方向の数、動的ネットワーク表示、Ｌ１メッセージ、ＤＣＩメッセージ、上位レイヤ構成、ＲＲＣ構成、レイヤ２制御要素、ＭＡＣ−ＣＥ、完全なまたは部分的なビーム対応、ＷＴＲＵ  ＤＬビーム測定結果に基づくＤＬ  ＲＸビーム方向に対応する空間領域送信フィルタを用いる送信ＳＲＳリソースなどに基づき得る。いくつかの構成では、異なる空間領域フィルタが、すべてのＷＴＲＵ  ＵＬ  ＴＸビームフォーミング方向またはＵ−１などのＵＬ  ＢＭプロシージャのためのグローバルなＵＬ  ＴＸビームスイープをカバーし得る。異なる空間領域フィルタがまた、ＵＬ  ＴＸビームフォーミング方向の部分またはＵ−３などのＵＬ  ＢＭプロシージャのための部分的なもしくはローカルなＵＬ  ＴＸビームスイープをカバーし得る。
【００９０】
セット内のＳＲＳリソースのいずれも上位レイヤパラメータで構成されないとき、ＷＴＲＵはまた、Ｕ−２などの固定されたＴＸビーム送信またはＵ−３などのローカルのＵＬ  ＴＸビームスイープを依然として実行し得る。ＳＲＳビームスイープをトリガするための動的なｇＮＢ表示では、情報要素ＳＲＳ−ＲｅｓｏｕｒｃｅＲｅｐは、上位レイヤ、ＲＲＣ、レイヤ２、ＭＡＣ−ＣＥメッセージもしくはトリガ、またはＤＣＩ要素もしくはＤＣＩエントリもしくはＤＣＩフィールドＳＲＳ−ＲｅｓｏｕｒｃｅＲｅｐ中に含まれ、その中で構成され得る。情報要素ＳＲＳ−ＲｅｓｏｕｒｃｅＲｅｐは、Ｌ１シグナリングＤＣＩ、非周期ＳＲＳトリガ、ＳＲＳ要求などによるトリガのために利用され得る。ＳＲＳリソースセットに関連するこの情報は、空間領域送信フィルタに関係する繰り返しがＷＴＲＵ側でオンであるのかオフであるのかを示し得る。この構成では、ＷＴＲＵは、同じビームまたは異なるビームを使用することによってＳＲＳリソースセット内の異なるＳＲＳリソースを利用することによって送信し得る。繰り返しがオンである場合、単一のビームインデックスが、明示的に含まれるか、または暗黙的に示され得、このトリガメッセージ中でＷＴＲＵが最近のＤＬビーム測定プロシージャ中に測定または使用した最適なまたは最良のＲＸビームを使用または参照し得、したがって、ＷＴＲＵは、単一のビームインデックスによって示された同じ空間領域送信フィルタとともにＳＲＳリソースを利用することによって送信する。繰り返しがオフである場合、ビームのセットは、ＵＬ  ＴＸビームスイープを実行するようにＷＴＲＵに示され得る。
【００９１】
ＷＴＲＵは、ビーム対応とＤＬビーム測定とに基づいてビームのセットを自律的に決定し得る。たとえば、単一のビームインデックスが、トリガメッセージ中で示され得、ＷＴＲＵは、最後のまたは前のＤＬビーム測定中に識別された関連するＤＬ  ＴＸビームに対応するＤＬ  ＲＸビームの範囲を適用し得る。ビームの範囲は、測定されたレイヤ１参照信号受信電力（Ｌ１−ＲＳＲＰ）値、ＮｄＢのオフセット、または示された単一のビームに地理的に近接するビームに基づいて決定され得る。たとえば、示された単一のビームがＸであり、示されたビーム範囲が５である場合、ＷＴＲＵは、ビームＸの左側に２つのビームおよびビームＸの右側に２つのビームなど、ビームＸを中心とする５つのビームをスイープし得る。
【００９２】
図１５は、ＷＴＲＵ  Ｕ−３スイープ範囲の一例を示す。図１６は、ＷＴＲＵ  Ｕ−３スイープ範囲の別の例を示す。図１５では、ビーム表示もしくは識別情報（ＩＤ）またはビーム表示もしくは識別情報（ＩＤ）のフィールドは、１５０２中のステップサイズとともに開始ＩＤ、開始ビームＩＤ、終了ＩＤ、または終了ビームＩＤを含み得る。別の構成では、１５０４中の中心ビームと１／２範囲とが、ビームスイープを決定するために利用され得る。図１６では、ビーム範囲は、上位レイヤ構成と下位レイヤトリガメッセージとの両方に基づき得る。ビームＩＤは、ビーム決定のための無線シグナリングを低減するために利用され得る。ルールはＷＴＲＵにおいて指定または構成され得、それは最適なＸ個のビームを考慮し、ここで、Ｘは構成可能な値である。ＷＴＲＵが、１６０２中の値３をもつビームＩＤを備えるＤＣＩトリガメッセージを受信するとき、ＷＴＲＵは、Ｕ−３プロシージャ中でスイープすべきビーム範囲として１６０４中の示されたビーム３の周りの最適なまたは最良のＸ＝４個のビームを導出または決定し得る。これは、最後のまたは前のＤＬ測定に基づいて実行され得る。
【００９３】
ＷＴＲＵは、ＳＲＳリソースごとにそれぞれの構成されたＳＲＳ−ＳｐａｔｉａｌＲｅｌａｔｉｏｎＩｎｆｏによって示された空間領域送信フィルタとともにＳＲＳリソースを利用することによって送信し得る。ＷＴＲＵはまた、セット内で、各ＳＲＳリソース、またはＳＲＳリソースのグループ数がＮ≧１である状態でグループに構成された上位レイヤパラメータＳＲＳ−ＳｐａｔｉａｌＲｅｌａｔｉｏｎＩｎｆｏによって示されたビームを用いてすべてのＳＲＳリソース上で送信することによってＵＬ  ＴＸビームスイープを実行し得る。
【００９４】
すべてのＳＲＳリソースのために構成した上位レイヤパラメータＳＲＳ−ＳｐａｔｉａｌＲｅｌａｔｉｏｎＩｎｆｏ、ここで、ＳＲＳリソースのグループが同じパラメータを共有するか、または各リソースがそれ自体のパラメータを有する、が同じコンテンツに設定された場合、ＷＴＲＵは、同じ空間領域送信フィルタまたはビームとともにすべてのＳＲＳリソースを利用することによって送信し得る。この構成では、Ｕ−２の場合、ネットワークデバイス、ｇＮＢ、またはＴＲＰは、ＵＬ  ＲＸビームスイープを実行し得、一方、ＷＴＲＵは、同じＴＸビームを用いてＳＲＳリソースを送信する。
【００９５】
別の実施形態では、すべてのＳＲＳリソースのためのＳＲＳ−ＳｐａｔｉａｌＲｅｌａｔｉｏｎＩｎｆｏなどの上位レイヤパラメータが同じコンテンツもしくは同じＲＳリソースＩＤに設定されるか、または単一の設定レベルの上位レイヤパラメータＳＲＳ−ＳｐａｔｉａｌＲｅｌａｔｉｏｎＩｎｆｏが、すべてのＳＲＳリソースのために構成される場合、ＷＴＲＵは、ローカルなまたは部分的なＵＬ  ＴＸビームフォーミングを実行し、異なるビームを用いてこれらのＳＲＳリソースを使用して送信し得る。この構成は、Ｕ−３プロシージャに適用され得、異なるビームは、上位レイヤパラメータＳＲＳ−ＳｐａｔｉａｌＲｅｌａｔｉｏｎＩｎｆｏによって示されたビームフォーミング方向の空間的に近くにあり得る。
【００９６】
追加のまたは余分の情報は、リソースセット内のＳＲＳリソースがＳＲＳ−ＳｐａｔｉａｌＲｅｌａｔｉｏｎＩｎｆｏのような複数の上位レイヤパラメータで構成されるときにＷＴＲＵが同様のまたは異なる空間領域送信フィルタまたはビームを用いてＳＲＳリソースを送信すべきかどうかを決定するために必要とされ得るが、リソースごとのパラメータは、同じコンテンツもしくは同じ参照ＲＳ  ＩＤまたは単一の設定レベルの上位レイヤパラメータＳＲＳ−ＳｐａｔｉａｌＲｅｌａｔｉｏｎＩｎｆｏを有する。上位レイヤ、ＲＲＣ、または同様の構成中の追加のまたは余分の情報は、ＷＴＲＵがＵＬ  ＴＸビームスイープを実行するのかまたは固定されたＵＬ  ＴＸビームを使用するのかを示し得る。
【００９７】
上位レイヤパラメータＳＲＳ−ＲｅｓｏｕｒｃｅＲｅｐは、ＵＬビームスイープタイプまたはＵ−１、Ｕ−２、またはＵ−３などのＵＬ  ＢＭプロシージャを示し得る。パラメータＳＲＳ−ＲｅｓｏｕｒｃｅＲｅｐは、ＲＲＣによって指定および構成され得、ＳＲＳリソースセットに関連するこのパラメータは、空間領域送信フィルタに関連する繰り返しがＷＴＲＵにおいてオンであるのかまたはオフであるのかを定義し得る。ＷＴＲＵは、同じビームまたは異なるビームを使用することによってＳＲＳリソースセット内の異なるＳＲＳリソースを利用することによって送信し得る。たとえば、ＳＲＳ−ＲｅｓｏｕｒｃｅＲｅｐ＝オンである場合、それは、Ｕ−２プロシージャを実行するようにＷＴＲＵに示すか、またはＵＬ  ＲＸビームスイープを実行するようにネットワークデバイス、ｇＮＢ、ＴＲＰなどに示し得る。ＳＲＳ−ＲｅｓｏｕｒｃｅＲｅｐ＝オフである場合、それは、Ｕ−１プロシージャ、Ｕ−３プロシージャ、ＷＴＲＵ  ＵＬ  ＴＸビームスイープなどを実行するようにＷＴＲＵに示し得る。
【００９８】
さらに、この表示情報は、動的シグナリング、上位レイヤメッセージ、ＲＲＣメッセージ、レイヤ２メッセージ、ＭＡＣ−ＣＥ、Ｌ１制御メッセージ、ＤＣＩなどで通信され得る。動的シグナリングは、ＵＬ  ＢＭを実行するためにＷＴＲＵのための構成されたＳＲＳセットのうちの１つまたはサブセットをアクティブ化するためにネットワークデバイス、ｇＮＢ、ＴＲＰなどからＷＴＲＵに送信され得る。たとえば、非周期ＳＲＳリソースセットは、ＤＣＩによってアクティブ化またはトリガされ得、ここで、フラグ情報は、ＷＴＲＵがＵＬ  ＴＸビームスイープまたは固定されたＵＬ  ＴＸビームを用いてこのＳＲＳリソースセットを送信するのかどうかを示す。いくつかの構成では、動的シグナリングはまた、ＷＴＲＵがＵＬ  ＴＸビームスイープをいつ実行するのかまたはそれを実行するのかどうかを示すのに専用であり得る。
【００９９】
図６は、ＢＭのためのシグナリングの一例を示す。図６では、ＳＲＳ構成メッセージとＲＲＣまたはＤＣＩトリガなどのＳＲＳトリガメッセージとがＷＴＲＵによって受信され得る。ビーム表示情報は、ＳＲＳトリガメッセージ中に含まれないことがある。この構成では、ＷＴＲＵは、ＳＲＳ構成、ＳＲＳ−Ｒｅｓｏｕｒｃｅ−Ｒｅｐ、ＳＲＳ−ＳｐａｔｉａｌＲｅｌａｔｉｏｎＩｎｆｏなどに従い得る。ＳＲＳトリガメッセージ中のビーム表示情報がない場合、ＷＴＲＵは、ＳＲＳ−ＳｐａｔｉａｌＲｅｌａｔｉｏｎＩｎｆｏなどの上位レイヤパラメータによって指定された送信フィルタを用いてオフに設定されたＳＲＳ−ＲｅｓｏｕｒｃｅＲｅｐなど、どのＷＴＲＵがＵＬ  ＴＸビームスイープを実行するのかを示し得るＳＲＳ構成情報によって指定された空間領域送信フィルタとともにＳＲＳリソースを利用し得る。
【０１００】
ＳＲＳセットのすべてのＳＲＳリソースのサブセットが上位レイヤパラメータＳＲＳ−ＳｐａｔｉａｌＲｅｌａｔｉｏｎＩｎｆｏで構成され、他のＳＲＳリソースが構成されない場合、ＷＴＲＵは、ＳＲＳ−ＳｐａｔｉａｌＲｅｌａｔｉｏｎＩｎｆｏによって示された空間領域送信フィルタを用いて、構成されたそれらのＳＲＳリソース上でのみ送信し得る。ＳＲＳリソース上での送信は、同じ送信フィルタまたは異なる送信フィルタを利用し得る。ＳＲＳ−ＳｐａｔｉａｌＲｅｌａｔｉｏｎＩｎｆｏで構成されていない他のＳＲＳリソース上では、ＷＴＲＵは送信しないことがある。
【０１０１】
ＳＲＳリソースセット中のＳＲＳリソースが上位レイヤパラメータＳＲＳ−ＳｐａｔｉａｌＲｅｌａｔｉｏｎＩｎｆｏで構成されるか、またはＳＲＳリソースセット中の複数のＳＲＳリソースが上位レイヤパラメータＳＲＳ−ＳｐａｔｉａｌＲｅｌａｔｉｏｎＩｎｆｏによってグループレベルまたは設定レベルを共有する場合、ＷＴＲＵは、ＲＳリソースへの、ＵＬ  ＢＭのために使用されるべきＳＲＳリソースセットをアクティブ化するためアクティブ化コマンド中の参照がＳＲＳ−ＳｐａｔｉａｌＲｅｌａｔｉｏｎＩｎｆｏをオーバーライドすることを決定し得る。たとえば、ＳＲＳリソースセット内のＳＲＳリソースは、ビームＸを介して送信されるように構成され得る。ＳＲＳリソースセットがアクティブ化されると、アクティブ化コマンドは、ＳＲＳリソースセットのためのビームＹを示し得る。ＷＴＲＵは、次いで、ビームＸの代わりにビームＹを介してすべてのＳＲＳリソースを使用して送信し得る。アクティブ化コマンドは、上位レイヤ、ＲＲＣ、レイヤ２、ＭＡＣ−ＣＥ、レイヤ１、またはＤＣＩ信号中に含まれ得る。
【０１０２】
非周期ＳＲＳのアクティブ化またはトリガのために、ＤＣＩは、リソースセットのアクティブ化、リソース繰り返しフラグ、ＵＬビーム表示などを含み得る。リソースセットのアクティブ化に関して、複数の非周期（ＡＰ）−ＳＲＳリソースセットは、構成されたが、Ｌ１制御またはＤＣＩによってトリガまたはアクティブ化されたＲＲＣまたはＲＲＣ＋ＭＡＣ−ＣＥであり得る。ＳＲＳ要求フィールドなどのＤＣＩフィールドは、どのＳＲＳセットがトリガされたのかを示すために使用され得る。ただ１つのＳＲＳセットが構成されるとき、このＤＣＩフィールドが、必要とされることも必要とされないこともある。
【０１０３】
リソース繰り返しフラグは、アクティブ化されたＳＲＳリソースセット内のＳＲＳリソースが同じＵＬ空間領域送信フィルタを用いて送信されるのかどうかを示すための１ビットのＤＣＩフィールドであり得る。リソースセット中のＳＲＳリソースは、異なるＯＦＤＭシンボル中で送信され得る。リソース繰り返しフラグは、上位レイヤパラメータＳＲＳ−ＲｅｓｏｕｒｃｅＲｅｐと同様の情報を備え得、Ｌ１制御またはＤＣＩ中に存在することも存在しないこともある。ＳＲＳリソースセットがトリガされるＤＣＩ中にリソース繰り返しフラグが存在しない場合、ＷＴＲＵは上位レイヤパラメータＳＲＳ−ＲｅｓｏｕｒｃｅＲｅｐに従ってＳＲＳリソースセットを送信し得る。これは、ＤＣＩ表示と上位レイヤまたはＲＲＣ構成とを組み合わせるハイブリッドＳＲＳビーム表示と見なされ得る。一例として、ＤＣＩは、リソースセットアクティブ化またはＵ−２などの固定されたビーム送信を用いたＵＬ  ＲｘビームスイープまたはＵ−３などの異なるビーム送信を用いたＵＬ  Ｔｘビームスイープのためのビーム方向を示し得、ＲＲＣ構成は、Ｕ−２またはＵ−３などのこのリソースセット中のＳＲＳリソースの送信タイプまたはリソース繰り返しタイプを指定し得る。
【０１０４】
図７は、ＢＭのためのシグナリングの別の例を示す。図７は、ＢＭのためのトリガと構成とが組み合わされたＳＲＳビーム表示を示し、ここで、ＷＴＲＵは、ＳＲＳリソース繰り返しタイプを決定するために上位レイヤまたはＲＲＣ構成を使用し、空間領域送信フィルタを決定するためにＳＲＳトリガメッセージを使用する。ＳＲＳ構成メッセージとＳＲＳトリガメッセージとがＷＴＲＵによって受信され得る。ＳＲＳトリガメッセージは、単一のビームインデックスＹを備え得、ＷＴＲＵは、オンへの設定など、繰り返しタイプを決定するためにＳＲＳ構成に従い、次いで、固定されたＵＬ  ＴＸビームＹを利用し得る。
【０１０５】
いくつかの構成では、リソース繰り返しフラグがＤＣＩ中に存在する場合、上位レイヤパラメータＳＲＳ−ＲｅｓｏｕｒｃｅＲｅｐ情報にかかわらず、ＷＴＲＵは、ＤＣＩフラグに従ってこのＳＲＳリソースセットを送信し得る。この構成では、フラグは、上位レイヤパラメータＳＲＳ−ＲｅｓｏｕｒｃｅＲｅｐをオーバーライドし得る。この構成では、ＵＬビーム表示がＤＣＩ中にある場合など、ＳＲＳビーム表示は、Ｌ１シグナリング中にのみあるか、またはＬ１シグナリングによってのみ通信され得る。さらに、ＤＣＩなどのトリガメッセージがＳＲＳビーム表示情報を備えるとき、それは、上位レイヤＳＲＳ構成中に構成されるビーム表示情報をオーバーライドし得る。
【０１０６】
ＵＬビーム表示情報は、ＤＣＩ中に存在することも存在しないこともある。このビーム表示情報は、ＤＣＩ中の１つまたは複数のＳＲＳリソースインジケータ（ＳＲＩ）フィールド中で通信され得る。いくつかの構成では、ＳＲＩフィールドは、ＰＵＳＣＨ送信のために使用されるＳＲＩフィールドと同じまたは異なるフィールドであり得る。
【０１０７】
ビーム表示情報がＤＣＩ中に存在しない場合、ＷＴＲＵは、上位レイヤパラメータＳＲＳ−ＳｐａｔｉａｌＲｅｌａｔｉｏｎＩｎｆｏによって示された空間領域送信フィルタとともにトリガまたはアクティブ化されたＳＲＳリソースセット内のＳＲＳリソースを利用し得る。この場合、ＳＲＳビーム表示方式は、ＤＣＩ表示と上位レイヤまたはＲＲＣ構成とを組み合わせ得るハイブリッド解決策であり得る。Ｎ＞１個のＳＲＳリソースが異なるＳＲＳ−ＳｐａｔｉａｌＲｅｌａｔｉｏｎＩｎｆｏで構成される場合、ＷＴＲＵは、Ｕ−１またはＵ−３などにおいてＵＬ  ＴＸビームスイープを実行し得る。Ｎ＞１個のＳＲＳリソースが同じ値のＳＲＳ−ＳｐａｔｉａｌＲｅｌａｔｉｏｎＩｎｆｏで構成される場合、ＷＴＲＵは、Ｕ−２などの固定されたビーム送信を実行し得る。
【０１０８】
ＳＲＳ−ＳｐａｔｉａｌＲｅｌａｔｉｏｎＩｎｆｏが構成されていないか、または構成されたＳＲＳ−ＳｐａｔｉａｌＲｅｌａｔｉｏｎＩｎｆｏが有効なまたは適切なＲＳリソースＩＤがない場合、ＷＴＲＵは、ネットワークデバイス、ｇＮＢ、ＴＲＰなどは、ＵＬ  ＴＸビームの情報を指定しないと決定し得る。いくつかの構成では、ＷＴＲＵは、次いで、Ｕ−１などのＢＭプロシージャのためのグローバルなビームスイープを実行し得る。たとえば、ＷＴＲＵが最初のアクセスからの上位レイヤまたはＲＲＣ接続で構成されるとき、ＷＴＲＵは、最初のＵＬビームトレーニングを実行し得る。
【０１０９】
ＳＲＳ−ＳｐａｔｉａｌＲｅｌａｔｉｏｎＩｎｆｏが構成されていない場合、ＷＴＲＵは、Ｕ−２プロシージャまたはＵ−３プロシージャを実行し得る。たとえば、繰り返しがオンである場合、単一のビームインデックスは、トリガメッセージ中に明示的に含まれるか、またはＷＴＲＵが最近のＤＬビーム測定プロシージャ中に測定または使用した最適なＲＸビームをＷＴＲＵが利用する場合などに暗黙的に示され得る。この構成では、ＷＴＲＵは、単一のビームインデックスによって示された同じ空間領域送信フィルタとともにＳＲＳリソースを使用して送信し得る。
【０１１０】
繰り返しがオフである場合、ビームのセットは、ＵＬ  ＴＸビームスイープを実行するためにネットワークから各ＷＴＲＵに示される必要があり得る。ＷＴＲＵはまた、ビーム対応とＤＬビーム測定とに基づいてビームのセットを自律的に決定し得る。たとえば、単一のビームインデックスが、トリガメッセージ中で示され得、ＷＴＲＵは、最後のまたは前のＤＬビーム測定中に識別された関連するＤＬ  ＴＸビームに対応するＤＬ  ＲＸビームの範囲を適用し得る。ビームの範囲は、測定されたＬ１−ＲＳＲＰ値（たとえば、ＮｄＢのオフセット）または示された単一のビームに地理的に近接するビームに基づき得る。たとえば、示された単一のビームがＸであり、示されたビーム範囲が５である場合、ＷＴＲＵは、ビームＸの左側に２つのビームおよびビームＸの右側に２つのビームなど、ビームＸを中心とする５つのビームをスイープし得る。
【０１１１】
ビーム表示情報がＤＣＩまたはＬ１信号中に存在する場合、ＷＴＲＵは、ＳＲＳを使用してリソースを送信し得る。ビーム表示情報がＤＣＩ中に存在し、ビーム表示情報が１つのビームを指定する場合、ＷＴＲＵは、リソース繰り返しフラグが現在のＤＣＩ中に存在するのかどうかをチェックすることによってＵＬ  ＴＸビームスイープまたは固定されたビーム送信を実行し得る。リソース繰り返しフラグがＵＬ  ＴＸビームスイープを示す場合、ＷＴＲＵは、単一のビーム表示が改良され得るＵＬ  ＴＸビームのための粗情報を備えると決定し得る。この構成では、ＷＴＲＵは、この単一のビームの周りでまたはそれを中心としてローカルなまたは部分的なビームスイープを実行し得る。スイープされたローカルビームの数と方向とは、前のＤＬビーム測定および報告に基づいてＷＴＲＵによって決定され得る。リソース繰り返しが固定されたビーム送信を示す場合、ＷＴＲＵは、ＤＣＩ中のビーム表示情報によって示されたビームとともにＳＲＳリソースを利用し得る。ＤＣＩがリソース繰り返しフラグを含まない場合、ＷＴＲＵは、上位レイヤパラメータＳＲＳ−ＲｅｓｏｕｒｃｅＲｅｐがアクティブ化されたＳＲＳリソースセットのために構成されているのかどうかをチェックし得る。
【０１１２】
ビーム表示情報がＤＣＩ中に存在し、ビーム表示情報がビームを指定しない場合、ＷＴＲＵは、ＤＣＩ中のリソース繰り返しフラグについてチェックし得る。リソース繰り返しフラグが存在する場合、リソース繰り返しフラグがオフに設定され、スイープされたビームが上位レイヤパラメータＳＲＳ−ＳｐａｔｉａｌＲｅｌａｔｉｏｎＩｎｆｏによって示される場合、ＷＴＲＵはＴＸビームスイープを実行し得る。リソース繰り返しフラグがオンに設定される場合、ＷＴＲＵは、ＳＲＳ構成メッセージ中で受信される上位レイヤパラメータＳＲＳ−ＳｐａｔｉａｌＲｅｌａｔｉｏｎＩｎｆｏによってやはり示される固定されたビームとともにＳＲＳリソースを利用し得る。
【０１１３】
ビーム表示情報がＤＣＩ中に存在し、ビーム表示情報が複数のビームを指定する場合、ＷＴＲＵは、リソース繰り返しフラグまたは上位レイヤパラメータＳＲＳ−ＲｅｓｏｕｒｃｅＲｅｐによって示される場合、ＳＲＳリソースセットの固定されたビーム送信のために１つのビームを選択し得る。そうでない場合、ＷＴＲＵは、ＤＣＩ中のビーム表示情報によって示されたビームを用いてＴＸビームスイープを実行する。
【０１１４】
図８は、ＢＭのためのシグナリングの別の例を示す。ＷＴＲＵは、ＷＴＲＵがＳＲＳ構成を使用しないときにＳＲＳリソース繰り返しタイプと空間領域送信フィルタとを決定するためにＳＲＳトリガメッセージを利用し得る。図８では、ＳＲＳ構成メッセージとＳＲＳトリガメッセージとがＷＴＲＵによって受信され得る。ＳＲＳトリガメッセージは、ＳＲＳ繰り返しタイプフィールドとビームＩＤフィールドとを備え得る。いくつかの構成では、ビームＩＤフィールドは、ＳＲＳ構成メッセージ中で受信された構成されたＳＲＳ−ＳｐａｔｉａｌＲｅｌａｔｉｏｎＩｎｆｏをオーバーライドし得る。
【０１１５】
例８０２および８０４では、ＳＲＳ繰り返しタイプフィールドはオフを示し得る。例８０２では、ビームＩＤは、ネットワークデバイス、ｇＮＢ、ＴＲＰなどが示された粗方向を有さず、ＷＴＲＵが完全なスイープＵ−３プロシージャを実行し得ることを示す空の情報を備え得る。例８０４では、ビームＩＤは、ＷＴＲＵがビーム３を中心とする粗ビーム方向の周りで部分的なビームスイープを実行するための特定のビーム、たとえばビーム３を示し得る。ＷＴＲＵは、前のＵＬビーム測定、前のＵＬ  ＴＸビームスイープ、前のＤＬビーム測定、ビーム対応に従ってＴＸビームをスイープし、示されたビーム３の周りに複数のＴＸビームを導出または生成し得る。この例では、最後のまたは前のＤＬビーム測定中に、それの部分がこれらの４つのビームに対応するいくつかのＤＬ  ＲＸビームをＷＴＲＵが維持したので、ＷＴＲＵはビーム２、３、４、および５をスイープし得る。
【０１１６】
例８０４では、ビームＩＤのフィールドは、２つ以上のＲＳ  ＩＤを備え得る。図１７は、ＷＴＲＵ  Ｕ−３スイープ範囲決定のための暗黙的なプロシージャの一例を示す。１７０２では、ビームＩＤフィールドは、Ｕ−３スイープ範囲を暗黙的に決定するためのビームのリストを含み得る。いくつかの構成では、ハイブリッド方法は、本明細書で与えられる他のスイープ範囲決定と図１７を組み合わせるように構成され得る。たとえば、ビームフィールドは、開始ビームＩＤと終了ビームＩＤとを備え得、一方、開始ビームＩＤと終了ビームＩＤとの間で選択されるビームは、ステップフィールドの代わりに最も高いＬ１−ＲＳＲＰをもつＸ個のビームなどの上位レイヤルールによって決定される。
【０１１７】
図１８は、ＷＴＲＵがＵＬ  ＢＭのためのトリガされたＳＲＳリソースのためのビームスイープを決定するためのプロシージャの一例を示す。ＷＴＲＵは、ＤＣＩ中でＳＲＳトリガを受信し得る（１８０２）。繰り返しフィールドまたはビームＩＤフィールドは、受信されたＤＣＩからトリガされたＳＲＳリソースのために取得され得る（１８０４）。繰り返しフィールドは、ＷＴＲＵがＵ−２プロシージャを実行するのかまたはＵ−３プロシージャを実行するのかを示し得る。ビームＩＤフィールドは、ＳＳＢＩまたはＣＲＩなどの１つまたは複数のＤＬ  ＲＳ  ＩＤを備えるか（１８０６）、またはＳＲＩなどのＵＬ  ＲＳ  ＩＤを備え得る。
【０１１８】
ビームＩＤフィールドがＤＬ  ＲＳ  ＩＤを備える場合、ビーム範囲は、最後のまたは前のＤＬビーム測定結果（１８０８）と実行されるＵＬビームスイープ（１８１２）とに基づいて導出され得る。ビームＩＤフィールドがＵＬ  ＲＳ  ＩＤを備える場合、ビーム範囲は、最後のまたは前のＵＬビーム測定結果（１８１０）と実行されるＵＬビームスイープ（１８１２）とに基づいて導出され得る。ビームスイープ範囲は、様々なパラメータを使用して明示的な動作１８１４によって、様々なパラメータを使用して暗黙的な動作１８１６によって、またはルールベースの動作１８１８によって導出され得る。明示的な動作では、ＷＴＲＵは、示されたビームに対する地理的なロケーションに基づいて範囲を決定し得る。暗黙的な動作では、ＷＴＲＵは、ビームリストによって範囲を決定し得る。ルールベースの手法では、ＷＴＲＵは、最後のまたは前のＤＬまたはＵＬビーム測定結果からビームスイープ範囲を自律的に決定し得る。さらに、ハイブリッドプロシージャは、上位レイヤまたはＲＲＣ構成を利用し得、ここで、ＤＣＩ中に部分的にまたはすべて存在し得る２つのフィールドは、ＲＲＣメッセージ中に部分的にまたはすべて構成され得る。１つまたは両方のフィールドは、ＤＣＩフィールドの一部であるか、またはＲＲＣパラメータとして構成され得る。同じフィールドがＲＲＣ構成とＤＣＩとの両方の中に存在する構成では、ＤＣＩ中のＳＲＳビーム表示フィールドは、ＲＲＣ中に構成された同じフィールドをオーバーライドし得る。
【０１１９】
複数のＢＷＰのためのビーム表示が構成され得る。高周波でのビームペアリンクブロッキングに対するロバストネスのために、ＷＴＲＵは、ＰＤＣＣＨまたはＰＤＳＣＨ受信のための１つまたは複数のＤＬビームで構成され得る。各ＤＬビームは、ＳＳＢ、ＳＳ／ＰＢＣＨブロック、ＣＳＩ−ＲＳ、ＳＲＳなどのＤＬ  ＲＳによって表され得るかまたはそれに関連付けられ得る。関連するＤＬ  ＲＳは、ＢＷＰごとにまたはＣＣごとに構成または送信され得る。
【０１２０】
ＷＴＲＵは、ＤＬまたはＵＬのための１つまたは複数のＢＷＰで構成され得、ここで、所与の瞬間に、ＷＴＲＵごとに、ただ１つのＢＷＰが、それぞれＤＬとＵＬとのためにアクティブであり得る。この単一のアクティブＢＷＰは、利用可能な周波数または時間リソースが変化すると、より広い帯域幅が必要とされると、無線環境の劣化、干渉、経路損失などがあると動的に変化し得る。新しいアクティブなＢＷＰに切り替わるかまたは変化する前に、ＷＴＲＵは、ＱｏＳに基づいて候補ＢＷＰを評価し、次いで、ターゲットのＢＷＰを適切に選択し得る。したがって、ＷＴＲＵは、アクティブなＢＷＰの外部のいくつかのＢＷＰを明示的にまたは暗黙的に測定するために上位レイヤ、ＲＲＣ、レイヤ２、ＭＡＣ−ＣＥ、Ｌ１制御、ＤＣＩなどを介して構成されるか、示されるか、または指令され得る。言い換えれば、ＷＴＲＵは、ＢＷＰごとベースのビーム測定および報告を動的に実行するためにＲＲＣ、ＭＡＣ−ＣＥ、ＤＣＩなどを介して構成またはトリガされ得る。
【０１２１】
ＷＴＲＵが複数のＢＷＰにわたる複数のビームで構成され得るので、効率的なＢＷＰごとベースのビーム表示が構成され得る。異なる構成は、複数のＤＬ  ＢＷＰのためのビーム表示と、複数のＵＬ  ＢＷＰのためのビーム表示と、ＵＬおよびＤＬ  ＢＷＰのためのビーム表示とを含み得る。複数のＤＬ  ＢＷＰのためのビーム表示の場合、ＤＣＩ、送信構成表示（ＴＣＩ）、ＤＣＩ表、またはＴＣＩ表が利用され得る。組み合わされたＤＣＩ／ＴＣＩおよびＴＣＩ表を用いるハイブリッドプロシージャがまた構成され得る。
【０１２２】
図９は、複数のＤＬ  ＢＷＰのためのビーム表示のためのＤＣＩまたはＴＣＩの一例を示す。図９では、複数のＴＣＩフィールドは、複数のＤＬ  ＢＷＰのビーム表示のためのＤＣＩの一部であり得る。９０２では、各ＴＣＩフィールドは、独立したビーム表示のための１つのＢＷＰのための示されたＴＣＩ状態を表し得る。たとえば、９０２では、ＴＣＩフィールド１は、ＤＬ  ＢＷＰ１のためのＴＣＩ状態のみを備える。９０４では、１つのＴＣＩフィールドは、共同のビーム表示のための２つ以上のＤＬ  ＢＷＰのための示されたＴＣＩ状態の値を備え得る。たとえば、９０４のＴＣＩフィールド１は、ＤＬ  ＢＷＰ１と、ＤＬ  ＢＷＰ２と、ＤＬ  ＢＷＰ３とを含む３つのＤＬ  ＢＷＰのための示されたＴＣＩ状態の値を備え得る。
【０１２３】
複数のＤＬ  ＢＷＰのための独立したビーム表示または共同のビーム表示中の各ＴＣＩフィールドのためのＴＣＩ状態を示すために２つの構成の１つのまたは任意の組合せが構成され得る。第１の構成では、通常のビーム表示が、各ＴＣＩフィールドのためのＴＣＩ状態の絶対値によって表され得る。第２の構成では、差動ビーム表示は、参照ＴＣＩフィールドのためのＴＣＩ状態の絶対値によって表され得、参照ＴＣＩフィールドに対する残りのＴＣＩフィールドのために差動値を使用し得る。たとえば、図９では、通常のビーム表示がＲＲＣによって使用または構成されるとき、各ＴＣＩフィールドは、９０２または９０４など、ＴＣＩ状態の絶対値を備え得る。図９の別の例では、差動ビーム表示がＲＲＣによって使用または構成されるとき、参照ＴＣＩフィールドは、同じＤＣＩ中のすべてのＴＣＩフィールドのうちで最も高いか最も低いインデックスをもつＴＣＩ状態をもつＴＣＩフィールドを選択し得る。たとえば、９０４では、ＴＣＩフィールドＫは、ＴＣＩ状態Ｓを示し得、Ｓは、同じＤＣＩ中のすべてのＴＣＩフィールドによってシグナリングされるＴＣＩ状態のうちで最も高いインデックスであり得る。別の構成では、参照ＴＣＩフィールドは、９０２におけるＴＣＩフィールド１またはＮのような最も低いか最も高いフィールドインデックスをもつＴＣＩフィールドを選択し得る。
【０１２４】
図１０は、複数のＤＬ  ＢＷＰのためのＴＣＩ表ベースのビーム表示の例を伴う表である。図１０では、ＴＣＩ状態は、複数のＢＷＰのための複数のＲＳ  ＩＤをもつＲＳセットを備え得る。たとえば、ＴＣＩ状態０は、それぞれ、ＢＷＰ１およびＢＷＰ２のためのＣＲＩ＃０およびＳＳＢ＃３を示す。この構成では、クロスキャリアまたはクロスＢＷＰビーム表示は、ＴＣＩ状態または表を利用し得る。ＷＴＲＵがＤＣＩ中で１つのＴＣＩフィールドを受信すると、どのビームが後続のＰＤＳＣＨ受信のためにＷＴＲＵに示されるのかは、ＷＴＲＵの現在のアクティブＢＷＰに基づき得る。たとえば、ＷＴＲＵが値１をもつＴＣＩフィールドを受信する場合、ＷＴＲＵの現在のアクティブなＢＷＰがＢＷＰ２である場合、ＷＴＲＵは、ビームＣＲＩ＃４を適用し得る。ＷＴＲＵが、ＤＣＩベースのまたはタイマーベースのスイッチングによってアクティブなＢＷＰを動的に切り替えるとき、ターゲットＢＷＰのためのＰＤＳＣＨ受信のために使用される対応するビームは相応して変化し得る。たとえば、ターゲットＢＷＰがＢＷＰ１またはＢＷＰ３である場合、ＷＴＲＵは、ＰＤＳＣＨ受信のために、それぞれ、ビームＣＲＩ＃２またはＳＳＢ＃５を使用し得る。
【０１２５】
ＴＣＩ表を用いる暗黙的なＤＬビーム表示の場合、各ＴＣＩ状態は、ＢＷＰのための１つのＲＳセット中にＲＳ  ＩＤを明示的に示し得る。ＴＣＩ状態は、複数のＢＷＰのためのＰＤＳＣＨまたはＰＤＣＣＨ受信のためのビームを暗黙的に示し得る。デフォルトのＴＣＩ状態はまた、ＢＷＰスイッチング時にＰＤＳＣＨまたはＰＤＣＣＨ受信のためにあらかじめ定義され得る。たとえば、現在構成されているＴＣＩ状態の特定のＩＤまたは最も低いＩＤをもつＴＣＩ状態は、ＰＤＣＣＨ受信のための再構成もしくは再アクティブ化、再構成、再アクティブ化、またはＰＤＳＣＨ受信のためのＤＣＩトリガまでＷＴＲＵによって使用され得る。デフォルトのＴＣＩ状態は、ＢＷＰに固有のものであることも、ＣＣに固有のものであることもある。
【０１２６】
ＢＷＰスイッチングの前の古いＢＷＰまたはＷＴＲＵに構成されたデフォルト／最初のＢＷＰなどの特定のＢＷＰのために現在使用されるＴＣＩ状態は、ＷＴＲＵがターゲットのまたは新しいＢＷＰに切り替えるとき、ＰＤＣＣＨ受信もしくは再構成のための再構成もしくは再アクティブ化、再アクティブ化、またはＰＤＳＣＨ受信のためのＤＣＩトリガまでＷＴＲＵによって使用され得る。新しいＢＷＰ上でのＰＤＳＣＨ受信の場合、ＷＴＲＵは、同じＢＷＰまたは特定のＢＷＰ上でのＰＤＣＣＨ受信のためにアクティブ化されたＴＣＩ状態を使用し得る。たとえば、ＢＷＰスイッチングの前にＷＴＲＵによって使用される元のＢＷＰまたはＷＴＲＵに構成されたデフォルトのまたは最初のＢＷＰが利用され得る。
【０１２７】
ＷＴＲＵは、ＰＤＳＣＨビーム表示のための割当てＤＣＩを受信し、ＤＣＩ中でＸ個のＴＣＩフィールド（Ｘ≧１）を受信するように構成され得る。ＷＴＲＵによって維持されるＴＣＩ表が、複数のＢＷＰに関連するいくつかのＴＣＩ状態を備える場合、Ｘ個のＴＣＩフィールドは、Ｙ個のＢＷＰのためのＰＤＳＣＨ受信のためのビームを示し得、ここで、値Ｙ≧Ｘである。
【０１２８】
図１１は、複数のＤＬ  ＢＷＰのためのビーム表示のためのハイブリッド解決策の例を伴う表である。図１１では、ＷＴＲＵがＴＣＩ状態０および１を示す２つのＴＣＩフィールドを受信する場合、ＷＴＲＵは、ＷＴＲＵがＢＷＰ１、ＢＷＰ２、またはＢＷＰ３のうちのいずれか１つを使用する場合に後続のＰＤＳＣＨ受信のために使用される適切なビームを識別するように構成され得る。
【０１２９】
現在のアクティブＢＷＰのためのビームを備えないＴＣＩ状態を示す、ＴＣＩフィールドをＷＴＲＵが受信する構成では、ＷＴＲＵは、あらかじめ定義されたルールに基づいてＢＷＰに切り替え得る。たとえば、ＷＴＲＵは、ネットワークデバイス、ｇＮＢ、ＴＲＰ、または同様のエリア内のすべてのＷＴＲＵに、またはＴＣＩ表中の最も低いＩＤを有する特定のＢＷＰに利用可能である共通のＢＷＰに切り替え得る。
【０１３０】
ＰＤＳＣＨ受信の場合、ＤＬ  ＤＣＩと対応するＰＤＳＣＨとの受信間の時間オフセットがＴｈｒｅｓｈｏｌｄ−Ｓｃｈｅｄ−Ｏｆｆｓｅｔなどのしきい値よりも小さい場合、ＷＴＲＵは、サービングセルのＰＤＳＣＨの１つのＤＭ−ＲＳポートグループのアンテナポートが１つまたは複数のＣＯＲＥＳＥＴがＷＴＲＵのために構成される最新のスロット中の最も低いＣＯＲＥＳＥＴ−ＩＤのＰＤＣＣＨ  ＱＣＬ表示のために使用されるデフォルトのＴＣＩ状態に基づいてＱＣＬされると決定し得る。ＷＴＲＵは、１つまたは複数のＣＯＲＥＳＥＴで構成され得、やはり１つまたは複数のＢＷＰで構成され得る。最も低いＣＯＲＥＳＥＴ−ＩＤをもつＰＤＣＣＨ  ＴＣＩ状態に対応するデフォルトのＴＣＩ状態は、ＢＷＰに固有のもの、ＣＣに固有のものなどであり得る。いくつかの構成では、時間オフセットがＴｈｒｅｓｈｏｌｄ−Ｓｃｈｅｄ−Ｏｆｆｓｅｔよりも小さい場合、ＷＴＲＵは、アクティブＢＷＰ中のデフォルトのＴＣＩ状態によって示されたビームを決定し得る。図１１のＴＣＩ状態０など、最も低いＣＯＲＥＳＥＴ−ＩＤをもつＰＤＣＣＨに対応するデフォルトのＴＣＩ状態が複数のＢＷＰのために構成される場合、デフォルトのＴＣＩ状態が複数のＢＷＰにわたって再利用され得る。
【０１３１】
最も低いＣＯＲＥＳＥＴ−ＩＤの場合、ＷＴＲＵに対して構成されたすべてのＣＯＲＥＳＥＴのＣＯＲＥＳＥＴ  ０がＷＴＲＵの最初のアクセス中に構成され得ることに留意されたい。たとえば、ＣＯＲＥＳＥＴ  ０は、ＰＢＣＨによって構成され得る。ＷＴＲＵがＲＲＣ接続モードに入った後、ＷＴＲＵは、ＣＯＲＥＳＥＴ  ０のためのＴＣＩ状態を構成または更新し得る。時間オフセットがＴｈｒｅｓｈｏｌｄ−Ｓｃｈｅｄ−Ｏｆｆｓｅｔよりも小さい場合にＰＤＳＣＨ受信のためのＣＯＲＥＳＥＴの最も低いＩＤをＷＴＲＵが決定するとき、ＷＴＲＵは、ＣＯＲＥＳＥＴ  ０に対応するＴＣＩ状態を利用し得る。
【０１３２】
最初のアクセス中に識別されたＳＳ／ＰＢＣＨブロックがＰＤＳＣＨ受信のためにＷＴＲＵのために使用されるビームであり、ＣＯＲＥＳＥＴ  ０のためのＴＣＩ状態が構成される場合、ＣＯＲＥＳＥＴ  ０のためのＴＣＩ状態がデフォルトのＴＣＩ状態と見なされ得る。ＣＯＲＥＳＥＴ  ０に対応するＴＣＩ状態が最初のアクセス中などにＲＲＣ接続状態またはモードでビームのために更新される場合、ＣＯＲＥＳＥＴ  ０のためのＴＣＩ状態がまた利用され得る。ＷＴＲＵがビーム障害回復プロシージャ中にあるとき、専用のＣＯＲＥＳＥＴ−ＢＦＲが、ビーム障害回復要求のためのネットワーク応答を監視するために構成され得る。この場合、時間オフセットがＴｈｒｅｓｈｏｌｄ−Ｓｃｈｅｄ−Ｏｆｆｓｅｔよりも小さい場合にＰＤＳＣＨ受信のためのデフォルトのビーム／ＱＣＬ参照をＷＴＲＵが決定するとき、ＷＴＲＵがビーム障害回復モードにない限り、ＣＯＲＥＳＥＴ−ＢＦＲを最も低いＩＤをもつＣＯＲＥＳＥＴと見なすべきではない。この最も低いＣＯＲＥＳＥＴ−ＩＤは、最新のスロットについて考えることによって識別され得る。ＷＴＲＵが複数のＣＯＲＥＳＥＴ／探索空間で構成されるとき、ＣＯＲＥＳＥＴ／探索空間は、最新のスロットが決定され得るようにスロット情報を有するように構成され得る。
【０１３３】
ＷＴＲＵのためのＰＤＳＣＨおよびＰＤＣＣＨ受信が複数のＢＷＰまたはＣＣにわたる場合、空間ＱＣＬ参照が利用され得る。この構成のための一例として、ＰＤＣＣＨは、より高い信頼性のために６ＧＨｚ未満などのＢＷＰ１／ＣＣ１中でスケジュールまたは送信され得、ＰＤＳＣＨは、より高い容量のために６ＧＨｚより上などのＢＷＰ２／ＣＣ２中でスケジュールまたは送信され得る。
【０１３４】
図１０では、ＴＣＩ状態０は、２つの異なるＢＷＰのための２つのＲＳ  ＩＤを備え得る。ＰＤＣＣＨおよびＰＤＳＣＨ受信の場合、同じＴＣＩ状態０が、（ＰＤＣＣＨのために）アクティブ化され／（ＰＤＳＣＨのために）示され得るが、異なるＲＳ  ＩＤに対応するなどの異なるビームが、それぞれ、ＰＤＣＣＨおよびＰＤＳＣＨに示され得る。ＤＬ  ＤＣＩとＰＤＳＣＨとの間のスケジューリングオフセットがＴｈｒｅｓｈｏｌｄ−Ｓｃｈｅｄ−Ｏｆｆｓｅｔよりも小さいか大きいかにかかわらず、最も低いＩＤをもつＰＤＣＣＨ／ＣＯＲＥＳＥＴに対応するデフォルトのＴＣＩ状態が図１０のＴＣＩ状態０であり得る。ＷＴＲＵはまた、それぞれ、ＰＤＣＣＨおよびＰＤＳＣＨ受信のために異なるＴＣＩ状態で構成され得、ここで、１つのＴＣＩ状態は、１つのＢＷＰ／ＣＣ中にまたは複数のＢＷＰ／ＣＣ中に構成され得る。この構成では、ＤＬ  ＤＣＩとＰＤＳＣＨとの間のスケジューリングオフセットがＴｈｒｅｓｈｏｌｄ−Ｓｃｈｅｄ−Ｏｆｆｓｅｔよりも小さいとき、ＷＴＲＵは、ＤＣＩフィールド中に示されるＴＣＩ状態とは異なり得るデフォルトのＴＣＩ状態を発見する必要がある。
【０１３５】
ＵＬ  ＢＭのためのＳＲＳビーム表示が単一のＢＷＰのために利用され得る。図１２は、複数のＵＬ  ＢＷＰにわたるＢＭのためのＳＲＳビーム表示のためにＤＣＩまたはＴＣＩを利用する一例を示す。１２０２の独立したビーム表示の場合、各ＳＲＳフィールドは、１つのＵＬ  ＢＷＰのためのビーム表示情報を備え得る。１２０４の共同のビーム表示の場合、１つのＳＲＳフィールドは、複数のＵＬ  ＢＷＰに適用されるビーム表示を備え得る。
【０１３６】
図１２に示されるように、ＳＲＳフィールドは、複数のパラメータまたはサブフィールドを備え得る。１２０６では、パラメータまたはサブフィールドは、ＳＲＳ  Ｒｅｓ  ｓｅｔフィールド、ＳＲＳ  Ｒｅｓ  ｒｅｐフィールド、および中央のＲＳ  ＩＤフィールドとビーム範囲フィールドとを含み得るビーム表示フィールドであり得る。ＳＲＳ  Ｒｅｓ  ｓｅｔフィールドは、ＳＲＳリソースセットのアクティブ化のために利用され得る。たとえば、それは、ＳＲＳ要求フィールドであり得る。
【０１３７】
ＳＲＳ  Ｒｅｓ  ｒｅｐフィールドは、ＷＴＲＵが、同じまたは異なる空間領域送信機フィルタを用いてアクティブ化されたＳＲＳリソースセット内のＳＲＳリソースを送信するのか、または固定されたＵＬ  ＴＸビームあるいはＵＬ  ＴＸビームスイープを用いてそれを送信するのかを示すために使用されるフラグフィールドであり得る。フィールドは、ＷＴＲＵが同じビームまたは異なるビームを使用することによってＳＲＳリソースセット内の異なるＳＲＳリソースを利用することを示すためにオンまたはオフに設定され得る。ビーム表示フィールドは、異なるＳＲＳリソースの送信のためのビーム情報を示すために利用され得る。
【０１３８】
中央のＲＳ  ＩＤフィールドは、ＲＳ  ＩＤ、ＤＬ  ＲＳ  ＩＤ、ＳＳ／ＰＢＣＨブロックＩＤ、ＣＳＩ−ＲＳリソースＩＤ、ＳＲＳリソースＩＤなどであり得る。ＷＴＲＵがプロシージャＵ−２などの固定されたビーム送信を実行することをＳＲＳ  Ｒｅｓ  ｒｅｐフィールドが示す場合、ＲＳ  ＩＤは、Ｕ−２のための単一の固定されたビームを示し得る。ＷＴＲＵがプロシージャＵ−２などの固定されたビーム送信を実行することをＳＲＳ  Ｒｅｓ  ｒｅｐフィールドが示す場合、ＲＳ  ＩＤはまた、粗ビーム方向を示し得る。フィールドが空の場合、ＷＴＲＵは、関連するＢＷＰ内でグローバルＵＬ  ＴＸビームスイープを実行し得る。
【０１３９】
ビーム範囲フィールドは、中央のＲＳ  ＩＤフィールド中のＲＳ  ＩＤが粗ビーム方向を示す場合に使用され得る。たとえば、ＷＴＲＵは、示された粗ビームの周りの複数のＴＸビームを導出または生成し得る。ＷＴＲＵは、前のＵＬ  ＴＸビームスイープなどの前のＵＬビーム測定またはビーム対応などの前のＤＬビーム測定に従ってＴＸビームをスイープし、ローカルＵＬ  ＴＸビームスイープを決定し得る。ビーム範囲フィールドは、前のＵＬまたはＤＬ  ＢＭに基づいてＷＴＲＵが生成または導出し得るビームの数またはビームの範囲を限定するために使用され得る。
【０１４０】
図１３は、複数のＤＬおよびＵＬ  ＢＷＰのためのビーム表示のためのＴＣＩ表ベースの構成の例を伴う表である。図１３では、ＵＬ  ＢＷＰとＤＬ  ＢＷＰとの両方のためのビーム表示が一緒に実行され得る。ＷＴＲＵは、ＴＣＩ状態０などのいくつかのＴＣＩ状態が複数のＵＬおよびＤＬ  ＢＷＰに適用可能であるＲＳセットを備え得るＴＣＩ表で構成され得る。この構成では、それは、２つの周波数帯域が互いに十分に近いかまたは完全に重複するように関連するＤＬ  ＢＷＰとＵＬ  ＢＷＰとがコロケートされることを示し得る。
【０１４１】
複数のＤＬ  ＢＷＰ、複数のＵＬ  ＢＷＰ、またはＵＬ  ＢＷＰとＤＬ  ＢＷＰとの両方の場合、ビームが現在のアクティブなＢＷＰのためのものでないことを示すビーム表示をＷＴＲＵが受信する場合、それは、ネットワークがＢＷＰスイッチングを開始しトリガし得ることを示し得る。ＷＴＲＵのためのターゲットＢＷＰは、示されたビームに基づいてマッピングされ得る。たとえば、ＷＴＲＵが、図１１に示されるようにＴＣＩ状態１を示すＴＣＩフィールドを受信する場合、ＷＴＲＵは、ＢＷＰ３に切り替え得る。複数の潜在的なターゲットＢＷＰが示されたビーム表示に基づいて存在する場合、ＷＴＲＵは、デフォルトのＢＷＰに切り替え得る。デフォルトのＢＷＰは、ＷＴＲＵが最初に構成されるＢＷＰであり得る。ＷＴＲＵはまた、あらかじめ定義されたルールに基づくＢＷＰに切り替え得る。たとえば、ＷＴＲＵは、ネットワークデバイスのエリア内のすべてのＷＴＲＵに、またはＴＣＩ表中の最も低いＩＤを有する特定のＢＷＰに利用可能である共通のＢＷＰに切り替え得る。
【０１４２】
本明細書で与えられる例では、ＷＴＲＵはまた、１つまたは複数のＵＬまたはＤＬ  ＢＷＰを介した同時送信を示し得る１つまたは複数のＵＬまたはＤＬアクティブＢＷＰを有するように構成され得る。本明細書で与えられる例は、シングルキャリア送信、マルチキャリア送信、マルチＢＷＰ送信などに適用され得る。いくつかの構成では、ＷＴＲＵが受信することが予想され得るスケジュールされたＮＲ−ＰＤＳＣＨに対応するＮＲ−ＰＤＣＣＨの最大サポート数は、ＣＣに１つのＢＷＰの場合ＣＣベースごとに２つであり得る。
【０１４３】
マルチＴＲＰ構成の場合、別個の上位レイヤシグナリングまたはＤＣＩが同じＷＴＲＵに通信され得る。ＵＬ  ＢＭの場合、ＳＲＳビーム表示は、各ＴＲＰからの別個のＤＣＩまたは上位レイヤシグナリング中にあり得る。たとえば、ＤＣＩ中の、拡張され得るＳＲＩフィールドまたはＳＲＳ−ＲｅｓｏｕｒｃｅＲｅｐフィールドは、ＵＬ  ＴＸビームを示し得る。また、上位レイヤ構成中のＳＲＳ−ＳｐａｔｉａｌＲｅｌａｔｉｏｎＩｎｆｏおよびＳＲＳ−ＲｅｓｏｕｒｃｅＲｅｐは、ＵＬ  ＴＸビームを示し得る。
【０１４４】
また、複数のＴＲＰ構成の場合、マルチＴＲＰへのＵＬ  ＴＸビームのための共同のビーム表示は、シグナリングオーバーヘッドを節約するために使用され得る。ＷＴＲＵは、２つ以上のＴＲＰと同時に接続し得る。ＴＲＰのうちの１つは、両方のＴＲＰのためのＷＴＲＵ  ＳＲＳ−Ｒｅｓｏｕｒｃｅ構成を送り得る。このＴＲＰは、リード、１次、またはサービングＴＲＰとして構成され、他のＴＲＰは、メンバーまたは２次ＴＲＰとして構成され得る。また、２つ以上のＴＲＰは、ＳＲＳリソースとビームまたは空間領域送信フィルタとの間で同じ関連付けを共有し得る。ＳＲＳ−ｓｐａｔｉａｌＲｅｌａｔｉｏｎＩｎｆｏはまた、共通の関連付けを示し得る。
【０１４５】
２つ以上のＴＲＰが、ＳＲＳリソースとビームとの間で同じ関連付けを共有しないか、または異なるＳＲＳリソースおよびビームペアを使用することが可能であり得る。この構成では、リードＴＲＰは、異なるビームとのＳＲＳリソースの関連付けを備えるＳＲＳ−ＳｐａｔｉａｌＲｅｌａｔｉｏｎＩｎｆｏを送る。図１４は、複数のＴＲＰのための空間領域送信フィルタとのＳＲＳリソースの関連付けの例を伴う表である。ＳＲＳリソースについての空間関係情報が図１４で与えられる。各ＳＲＳ−Ｒｅｓｏｕｒｃｅ情報要素（ＩＥ）中のｓｐａｔｉａｌＲｅｌａｔｉｏｎＩｎｆｏフィールドは、２つ以上のビーム情報を備え得る。ｓｐａｔｉａｌＲｅｌａｔｉｏｎＩｎｆｏフィールド中の空間情報は、ＴＣＩ状態によって示されるかまたは構成され得る。この場合、２つ以上の空間関係または２つ以上のＲＳ  ＩＤがｓｐａｔｉａｌＲｅｌａｔｉｏｎＩｎｆｏフィールドによって示される場合、ｓｐａｔｉａｌＲｅｌａｔｉｏｎＩｎｆｏフィールドに関連する対応するＴＣＩ状態は、２つ以上の空間情報または２つ以上のＲＳ  ＩＤを含み得る。
【０１４６】
ＳＲＳ−ＲｅｓｏｕｒｃｅＳｅｔ  ＩＥは、ＳＲＳ−ＲｅｓｏｕｒｃｅＲｅｐがオンであるのかまたはオフであるのかを示し得る。複数のＴＲＰの場合、２つ以上のＴＲＰが同じ設定または構成のＳＲＳ−ＲｅｓｏｕｒｃｅＲｅｐを有し得る。２つ以上のＴＲＰがＳＲＳ−ＲｅｓｏｕｒｃｅＲｅｐの異なる設定を有し得ることが可能であり得る。これは、２つの異なるＢＭ処理がＴＲＰに適用されるように使用され得る。たとえば、１つのＴＲＰは、Ｕ−２などのために固定されたＴＸビーム送信を適用すべきＷＴＲＵを有し得、一方、別のＴＲＰは、Ｕ−１またはＵ−３などのために複数のＴＸビーム送信を適用すべきＷＴＲＵを有し得る。さらに、１つのＴＲＰは、ＳＲＳ−ＲｅｓｏｕｒｃｅＲｅｐをオンに設定し得、一方、他のＴＲＰは、ＳＲＳ−ＲｅｓｏｕｒｃｅＲｅｐをオフに設定し得る。ＳＲＳ−ＲｅｓｏｕｒｃｅＳｅｔ中でＳＲＳ−ＲｅｓｏｕｒｃｅＲｅｐアイテムは、ＴＲＰにそれぞれ対応する２つのブール値のために構成され得る。
【０１４７】
非周期ＳＲＳをアクティブ化またはトリガするために、ＤＣＩ表示は、リソースセットのアクティブ化、リソース繰り返しフラグを含み得、ＵＬビーム表示を含み得る。ＷＴＲＵにＤＣＩを送信する、両方のＴＲＰを表す、リードＴＲＰをもつ２つ以上のＴＲＰでは、リソースセットのアクティブ化は、ＴＲＰのいずれか一方またはＴＲＰの両方に適用され得る。リソース繰り返しフラグは、ＴＲＰのいずれか一方またはＴＲＰの両方に拡張され得る。ＴＲＰごとに１つの２ビットのリソース繰り返しフラグが構成され得る。さらに、ＤＣＩ中のＳＲＳ要求フィールドは、２ビットから４のビットに拡張され得、ここで、あらゆる２ビットは、ＴＲＰのためのＳＲＳリソースセットのアクティブ化を表す。
【０１４８】
ＳＲＳ−ＲｅｓｏｕｒｃｅＲｅｐがオフであるとき、上位レイヤ、ＲＲＣ、またはＬ１シグナリングのいずれかを介して、ＵＬ  ＴＸビームのセットが示され得、したがって、ＷＴＲＵは、ＵＬ  ＴＸビームスイープをどのように実行するのかを知る。一構成では、単一のビームインデックスは、トリガメッセージ中に示され、ＷＴＲＵは、示された単一のビームインデックスまたは単一のビームに地理的に近接するビームを使用し得る。ＷＴＲＵ  ＴＸビームスイープの範囲は、あらかじめ定義されるか、構成されるか、またはさらに示され得る。たとえば、１ビットは、異なる範囲のＷＴＲＵ  ＴＸビームスイープを示すために使用され得、ここで、値０をもつビットは、示された単一のビームを中心に置くＷＴＲＵ  ＴＸビームスイープ中のＸ個のビームを示し、値１をもつビットは、示された単一のビームを中心に置くＷＴＲＵ  ＴＸビームスイープ中でのＹ個のビームを示す。複数のＴＲＰの場合、ＴＲＰごとの別個のビームスイープ範囲情報がまた適用され得る。これらの構成は、ＵＬ  ＢＭまたはＴＲＰ固有のビームトレーニングのためのＴＲＰ固有のビーム選択と見なされ得、ここで、構成／トリガされたＳＲＳリソースセット内のＳＲＳリソースのためのＳＲＳリソースセットトリガおよびビーム表示は、必要に応じて、独立してまたは複数のＴＲＰのうちで一緒に実行され得る。
【０１４９】
ＵＬ  ＢＭまたはＴＲＰ固有のビームトレーニングのためのＴＲＰ固有のビーム選択に加えて、ＵＬ  ＢＭまたはパネル固有のビームトレーニングのためのパネル固有のビーム選択が構成され得る。暗黙的なパネル固有のＵＬビームトレーニングは、ネットワークが、１つまたは複数のｇＮＢまたはＴＲＰによって一緒にまたは別々に、Ｎ個のＳＲＳリソースセットをトリガすることによってＮ個（Ｎ＞１）のＷＴＲＵパネルをトリガするときを備え得る。各ＳＲＳリソースセットはまた、特定のＷＴＲＵパネルに関連付けられ得る。
【０１５０】
図２３は、パネル固有のＳＲＳ関連付けの一例を示す。２３０２において、ＳＲＳリソースセット１はＷＴＲＵパネル１に関連付けられ得、ＳＲＳリソースセット２は、ＷＴＲＵパネル２に関連付けられ得る。２つのリソースセットのうちのいずれか１つまたは両方がＬ１あるいはＤＣＩシグナリングなどを通してトリガされるか、またはレイヤ２、ＭＡＣ−ＣＥ、上位レイヤ、あるいはＲＲＣシグナリングなどを通してアクティブ化されるとき、対応するＷＴＲＵパネルがビームトレーニングを実行するために使用され得る。
【０１５１】
ネットワークは、１≦Ｍ＜Ｎ個のＳＲＳリソースセットをトリガすることによって、Ｎ＞１個のパネルをトリガし得る。各ＳＲＳリソースは、特定のＷＴＲＵパネルに関連付けられ得る。２３０４において、ＳＲＳリソースセット１は、ＷＴＲＵパネル１に関連付けられ得るＳＲＳリソース１および２と、ＷＴＲＵパネル２に関連付けられ得るＳＲＳリソース３および４とを含み得る。ＳＲＳリソースセット１がＬ１あるいはＤＣＩシグナリングなどによってトリガされるか、またはレイヤ２、ＭＡＣ−ＣＥ、上位レイヤ、あるいはＲＲＣシグナリングなどによってアクティブ化されるとき、両方のＷＴＲＵパネル１および２がビームトレーニングを実行し得る。１つのＳＲＳリソースセット中のＳＲＳリソースの総数がすべての関連するＷＴＲＵパネルからトレーニングされるべきＵＬ  ＴＸビームの総数をカバーすることができない場合、トリガされるＳＲＳリソースセットの数が増加され得るか、またはＭの値が、［１，Ｎ］の範囲内にあり得る。
【０１５２】
ネットワークは、トリガされるＮ個のＳＲＳリソースセットのＩＤまたは順序に従うことによってＮ＞１個のパネルをトリガし得る。特定のＷＴＲＵパネルに関連する各々のトリガされるＳＲＳリソースセットの代わりに、トリガされるセットの順序または各々のトリガされるセットのＩＤは、関連するＷＴＲＵパネルを表し得る。たとえば、ＳＲＳリソースセット１および２がトリガされ、パネル関連付けが上位レイヤパラメータまたはトリガメッセージ中に存在しない場合、ＳＲＳリソースセット１は、ＷＴＲＵパネル１に適用され得、ＳＲＳリソースセット２は、ＷＴＲＵパネル２に適用され得る。ＳＲＳリソースセット２および３がトリガされる場合、第１のセット２は、ＷＴＲＵパネル１に適用され得、第２のセット３は、ＷＴＲＵパネル２に適用され得る。順序または設定されたＩＤベースのパネル選択を区別するために、順序が適用されるのかまたは設定されたＩＤベースのパネル選択が適用されるのかを示すために、追加のフィールドまたはフラグが上位レイヤメッセージまたは下位シグナリングメッセージ中に構成されるか、または示され得る。デフォルトのルールも利用され得る。たとえば、フラグ情報がない場合、ＷＴＲＵは、トリガされたＳＲＳリソースセットの順序がデフォルトでパネル選択のために使用されると決定し得る。
【０１５３】
明示的なパネル固有のＵＬビームトレーニングでは、ネットワークは、トリガされるＳＲＳリソースセットとともにパネル表示または識別ＩＤを指定することによってＮ＞１個のＷＴＲＵパネルをトリガし得る。パネルＩＤは、各々の構成されたＳＲＳリソースセットに関連する上位レイヤパラメータ中に構成されるか、またはＤＣＩ内の１つまたは複数のフィールド中などに各ＳＲＳトリガメッセージとともに動的に含まれ得る。
【０１５４】
複数のＷＴＲＵパネルがＵＬビームトレーニングを実行するために構成またはトリガされる場合、各々のトリガまたは構成されるＳＲＳリソースセットに関連するパネルＩＤは、一緒にまたは独立して示され得る。図２２は、独立した物理アップリンク共有チャネル（ＰＵＳＣＨ）ビーム表示と共同のＰＵＳＣＨビーム表示との一例を示し、ここで、ＳＲＳリソースＩＤを示すためのＳＲＳフィールドは、１つまたは複数のＳＲＳリソースセットＩＤを示すための拡張されたＳＲＳ要求フィールドによって置き換えられ得る。
【０１５５】
ＷＴＲＵパネルの選択が明示的にまたは暗黙的に決定されると、各々の選択されたパネル内のトレーニングされるべきビームが本明細書の例のいずれかを使用して決定され得る。上位レイヤパラメータ、ｓｐａｔｉａｌＲｅｌａｔｉｏｎＩｎｆｏフィールド、構成されたＲＲＣ、示されたＬ１、示されたＤＣＩ、アクティブ化されたレイヤ２、もしくはアクティブ化されたＭＡＣ−ＣＥであり得る各ＳＲＳリソースに関連するＴＣＩ状態、リソースＩＤの順序、またはビームトレーニングのためのビーム範囲が、パネルまたはビーム決定のために利用され得る。
【０１５６】
図２７は、ＵＬ  ＢＭのためのトリガされたＷＴＲＵパネルおよびビームを決定するためのプロシージャである。ＷＴＲＵは、ＳＲＳリソースの構成とパネルＩＤとの関連付けとを受信し得る。ＷＴＲＵは、ＤＣＩ中でＳＲＳトリガを受信し（２７０２）、１つまたは複数のＳＲＳリソースセットをトリガし得る。トリガされたＳＲＳリソースセットは、単一のＴＲＰまたは複数のＴＲＰのための１つまたは複数のＷＴＲＵパネルと、各々のトリガされたＷＴＲＵパネル内のＵ−２プロシージャなどのための１つのビームまたはＵ−３プロシージャなどのための複数のビームとをトリガし得る。ＳＲＳトリガＤＣＩは、ＷＴＲＵパネルまたはビーム決定のための繰り返し、ビームＩＤ、またはパネルＩＤなどの追加のフィールドを備え得る（２７０４）。
【０１５７】
トリガされるＷＴＲＵパネルを決定するために（２７０６）、明示的な動作では、ＤＣＩは、トリガされるＷＴＲＵパネルＩＤのリストを備え得る。暗黙的な動作では、ＳＲＳ構成中に、ＷＴＲＵは、１つまたは複数のＳＲＳリソースセットで構成され得、ここで、各リソースセットが、１つのＷＴＲＵパネルに関連付けられ得るか、または各リソースが、１つのＷＴＲＵパネルに関連付けられ得る。いずれの場合も、いずれか１つのＳＲＳリソースセットがトリガされるとき、ＷＴＲＵは、各々のトリガされるリソースセットまたはリソースの関連付けからトリガされるＷＴＲＵパネルを決定し得る。
【０１５８】
ＷＴＲＵは、トリガされるＳＲＳリソースセットの順序に従うことによってトリガされるＷＴＲＵパネルを決定し得る。たとえば、第１のトリガされるＳＲＳリソースセットＸは、トリガされるＷＴＲＵパネル１を示し得、第２のトリガされるＳＲＳリソースセットＹは、トリガされるＷＴＲＵパネル２を示す。別の例では、セット１がＷＴＲＵパネル１を示し、セット３がＷＴＲＵパネル３を示すなど、トリガされるＳＲＳリソースセットＩＤはＷＴＲＵパネルＩＤを示す。
【０１５９】
各々のトリガされるＷＴＲＵパネルのためのスイープビームを決定するために（２７０８）、繰り返しフィールドは、ＷＴＲＵがＵ−２プロシージャを実行するのかまたはＵ−３プロシージャを実行するのかを示し得る。ビームＩＤフィールドは、ＳＳＢＩまたはＣＲＩなどの１つまたは複数のＤＬ  ＲＳ  ＩＤを備えるか、またはＳＲＩなどのＵＬ  ＲＳ  ＩＤを備え得る。ビームＩＤフィールドがＤＬ  ＲＳ  ＩＤを備える場合、ビーム範囲は、最後のまたは前のＤＬビーム測定結果に基づいて導出され得る。ビームＩＤフィールドがＵＬ  ＲＳ  ＩＤを備える場合、ビーム範囲は、最後のまたは前のＵＬビーム測定結果に基づいて導出され得る。
【０１６０】
ビームスイープ範囲は、示されたビームに対する地理的ロケーションに明示的に基づいて導出され得る。暗黙的な決定の場合、範囲は、ビームリストによって決定され得る。ＷＴＲＵは、ビーム範囲のためのルールセットを使用して最後のまたは前のＤＬまたはＵＬビーム測定結果から自律的に決定し得る。ハイブリッド動作では、ＲＲＣシグナリングが利用され得る。繰り返しおよびビームＩＤフィールドは、ＤＣＩ中に部分的にまたはすべて存在し得る。たとえば、両方のフィールドは、ＤＣＩの一部であるか、またはＲＲＣパラメータとして構成され得る。ＷＴＲＵパネルとビームとの両方が決定されると、ＷＴＲＵは、ＵＬビームスイープを実行することができる（２７１０）。
【０１６１】
ネットワークデバイス、ｇＮＢ、ＴＲＰなどは、ＵＬ  ＢＭを実行し、より高い値の信号対干渉雑音比（ＳＩＮＲ）、ＲＳＲＰ、基準信号受信品質（ＲＳＲＱ）、Ｌ１−ＲＳＲＰ、Ｌ１−ＲＳＲＱ、Ｌ１−ＳＩＮＲなどのビーム品質メトリックに基づいて最適なビームを評価し得る。ネットワーク要素は、次いで、ＳＲＩなどのビーム表示を介してＷＴＲＵに選択されたビームインデックスを送り得る。ＳＲＩは、複数のＳＲＩフィールドまたは既存のＳＲＩフィールドの拡張を備え得る。ＳＲＩはまた、選択されたＷＴＲＵパネルまたは複数のパネルに関連して送信される単一のＳＲＳリソースの明示的な表示を含み得る。ＷＴＲＵが、ネットワークからＳＲＩなどの１つまたは複数のビーム表示を受信すると、ＷＴＲＵは、マルチパネルベースのＰＵＳＣＨ送信を実行し得る（２７１２）。
【０１６２】
本明細書で与えられる例では、ＴＲＰ固有のビームトレーニングおよびパネル固有のビームトレーニングは、一緒にまたは別々に実行され得る。たとえば、ＷＴＲＵが２つ以上のＴＲＰと接続されるとき、ＴＲＰのうちのいずれか１つが別々にパネル固有のビームトレーニングを実行する、あるいはさらには単一のＷＴＲＵパネルのみに対してビームトレーニングを実行し得る。両方のＴＲＰは、ＷＴＲＵの１つまたは複数のパネルとともにＵＬビームトレーニングを一緒に実行するように構成され得る。
【０１６３】
各ＷＴＲＵのためのアンテナまたはパネル能力は、異なり、動的であり得る。干渉回避、電力節約、または輻輳制御のために、ネットワークとＷＴＲＵのどちらかは、ＷＴＲＵパネルのうちのいくつかをアクティブ化するか、非アクティブ化するか、オフにするか、またはオンにし得る。ＷＴＲＵパネル能力情報は、必要に応じて更新されるか、またはネットワークと同期され得る。
【０１６４】
ＷＴＲＵが、ＳＲＳリソースの１つまたは複数のセットを利用すると、１つまたは複数の隣接ｇＮＢまたはＴＲＰは、ＵＬビーム測定を実行し得る。各隣接ＴＲＰにおけるＳＲＳリソース測定の後に、最適なビームがＷＴＲＵに示される必要があり得る。最適なＵＬ  ＴＸビームを決定するために、独立した表示、最大共通品質をもつ共同の表示、または最小干渉をもつ共同の表示が構成され得る。図１９では、独立した表示の隣接ＴＲＰは、１９０２においてＳＲＳ送信を独立して測定し、各ＴＲＰのための最適なビームを独立して示し得る。
【０１６５】
最大共通品質をもつ共同の表示（ケース２）の場合、隣接ＴＲＰは、ＳＲＳ送信を一緒に測定し得る。図２０に示すように、ネットワークは、２００２において、ビームが迅速な復元または同時送信により十分にロバストであるように両方のＴＲＰのために最適であるビームを示し得る。最低干渉をもつ共同の表示（ケース３）の場合、隣接ＴＲＰは、ＳＲＳ送信を一緒に測定し得る。図２１に示すように、ネットワークは、異なるＴＲＰまたは同じＴＲＰの異なるパネルに異なる最適なビームを示し得る。最適なビームは、２１０２および２１０４において、１つのＴＲＰまたはパネルのための最適なビームが他のＴＲＰまたはパネルにとっては最悪なまたは最も適さないビームであるように選択され得る。
【０１６６】
最小干渉をもつ独立した表示および共同の表示は、より高い通信容量のために利用され得、ＷＴＲＵと１つまたは複数のＴＲＰとの間でのビームペアリンクは、干渉を回避するのに十分なほど空間的に分離され得る。最大共通品質をもつ共同の表示は、より高い通信信頼性およびロバストネスのために利用され得、ＷＴＲＵと１つまたは複数のＴＲＰとの間でのビームペアリンクが同じＵＬ  ＴＸビームに関していることがあり得るので、１つの共通のビームがＷＴＲＵに示され得る。
【０１６７】
ＰＵＣＣＨ通信の場合、１つまたは複数のＰＵＣＣＨ−Ｓｐａｔｉａｌ−ｒｅｌａｔｉｏｎ−ｉｎｆｏリストがＷＴＲＵに構成され得る。各々の構成されたＰＵＣＣＨ−Ｓｐａｔｉａｌ−ｒｅｌａｔｉｏｎ−ｉｎｆｏについて、異なるＷＴＲＵパネルから、および同じＴＲＰまたは異なるＴＲＰの異なるＴＲＰパネルに対してＵＬ送信のために使用されるＵＬ  ＴＸビームを区別するために新しいパラメータが導入され得る。たとえば、ＷＴＲＵと異なるＴＲＰとの間のビームペアリンクを区別するために、ＰＵＣＣＨ−ＴＲＰなどの上位レイヤパラメータが導入され得る。別の例では、各ＷＴＲＵパネルから送信されるＰＵＣＣＨのために使用されるビームを示すために、１つの上位レイヤパラメータＰＵＣＣＨ−ｐａｎｅｌ−ＩＤが導入され得る。
【０１６８】
１つまたは複数のパラメータがＷＴＲＵに構成され得る。たとえば、特定のＷＴＲＵパネルと関連するＴＲＰとの間のマッピング情報が他の構成またはシグナリングに基づいてＷＴＲＵに知られる場合、１つのパラメータが、マルチＴＲＰまたはマルチパネル送信のためのＰＵＣＣＨ送信のためのビーム表示を実現するのに十分であり得る。
【０１６９】
ＰＵＣＣＨ−Ｓｐａｔｉａｌ−ｒｅｌａｔｉｏｎ−ｉｎｆｏごとに、１つまたは複数のＳｐａｔｉａｌＲｅｌａｔｉｏｎＩｎｆｏ  ＩＥが含まれ得る。各ＳｐａｔｉａｌＲｅｌａｔｉｏｎＩｎｆｏ  ＩＥは、異なるＷＴＲＵパネルもしくはＴＲＰまたは同じＷＴＲＵパネルもしくはＴＲＰのために構成され得る。複数のＰＵＣＣＨ−Ｓｐａｔｉａｌ−ｒｅｌａｔｉｏｎ−ｉｎｆｏリストがＷＴＲＵに構成された状態で、各ＰＵＣＣＨ−Ｓｐａｔｉａｌ−ｒｅｌａｔｉｏｎ−ｉｎｆｏ中のただ１つのＳｐａｔｉａｌＲｅｌａｔｉｏｎＩｎｆｏ  ＩＥが、１つの時刻にＵＬ送信のために使用され得、異なるＰＵＣＣＨ−Ｓｐａｔｉａｌ−ｒｅｌａｔｉｏｎ−ｉｎｆｏリストからの複数のＳｐａｔｉａｌＲｅｌａｔｉｏｎＩｎｆｏ  ＩＥがＵＬ送信のために同時に使用され得る。複数のＳｐａｔｉａｌＲｅｌａｔｉｏｎＩｎｆｏ  ＩＥが１つのＰＵＣＣＨ−Ｓｐａｔｉａｌ−ｒｅｌａｔｉｏｎ−ｉｎｆｏリスト中に含まれる場合、ＭＡＣ−ＣＥまたはＤＣＩなどのさらなるアクティブ化シグナリングが、ＰＵＣＣＨ−Ｓｐａｔｉａｌ−ｒｅｌａｔｉｏｎ−ｉｎｆｏリスト中のエントリのうちの１つにＰＵＣＣＨリソースのための空間関係情報を示すために使用され得る。ＰＵＣＣＨ−Ｓｐａｔｉａｌ−ｒｅｌａｔｉｏｎ−ｉｎｆｏリストのうちのただ１つが、ＷＴＲＵに構成される場合、それは、ＷＴＲＵの複数のＷＴＲＵパネルが同じ空間関係情報を共有し得ることを示し得る。唯一のＰＵＣＣＨ−Ｓｐａｔｉａｌ−ｒｅｌａｔｉｏｎ−ｉｎｆｏ中のＳｐａｔｉａｌＲｅｌａｔｉｏｎＩｎｆｏ  ＩＥは、ＷＴＲＵパネル固有のものであり得る。
【０１７０】
ＰＵＳＣＨ表示の場合、ＷＴＲＵの複数のアンテナパネルからのＰＵＳＣＨ送信が同じ空間領域送信フィルタまたはＵＬ  ＴＸビームから送信される場合、１つのＳＲＩフィールドがＰＵＳＣＨビーム表示のために利用され得る。ＷＴＲＵの複数のアンテナパネルからのＰＵＳＣＨ送信が異なる空間領域送信フィルタまたはＵＬ  ＴＸビームから送信される場合、ＰＵＳＣＨビーム表示は様々な方法で構成され得る。
【０１７１】
再び図２２を参照すると、１つのＴＲＰまたは複数のＴＲＰに関連する異なるＷＴＲＵパネルのための独立したＰＵＳＣＨビーム表示の場合、２２０２における別個のＳＲＳフィールドは、マルチＴＲＰまたはマルチパネル送信のためのＰＵＳＣＨ送信のために使用されるビームを独立して示すＤＣＩシグナリングの部分である。共同のＰＵＳＣＨビーム表示２２０４では、１つのＳＲＳフィールドは、ＷＴＲＵまたはＵＬパネルのリストに関連する１つまたは複数のＲＳ  ＩＤまたはＳＲＩフィールドを示すために使用され得る。いくつかの構成では、ＷＴＲＵパネル、ＵＬパネル、またはＵＬ  ＷＴＲＵパネルは交換可能であり得る。セル上にＤＣＩフォーマット０＿０などによってスケジュールされるＰＵＳＣＨの場合、ＷＴＲＵは、各ＷＴＲＵパネルに関してアクティブなＵＬ  ＢＷＰ内で最も低いＩＤをもつＰＵＣＣＨリソースに対応する空間関係に従ってＰＵＳＣＨを送信し得る。
【０１７２】
ＵＬ  ＢＭまたはＵＬビームトレーニングは、ＷＴＲＵパネルにＳＲＳリソースセットを関連付けることによって実行され得る。この構成では、ネットワーク測定されたＳＲＳベースのビームが異なるＳＲＳリソースセットからの同じＳＲＩを有し得るので、ＳＲＩは、明示的なパネル表示を必要とし得る。ＵＬ  ＢＭまたはＵＬビームトレーニングがＷＴＲＵパネルにＳＲＳリソースを関連付けることによって実行される場合、パネル情報が必要とされないことがある。たとえば、２３０４において、ＷＴＲＵがＳＲＩ＃２およびＳＲＩ＃３をもつビーム表示を受信する場合、ＷＴＲＵは、次のスロット中でＷＴＲＵパネル１およびパネル２からＰＵＳＣＨを同時に送り得る。どのビームが前のビームトレーニング処理中にスイープされるのかをＷＴＲＵ自体が決定するので、パネル１およびパネル２からの特定のビームがＷＴＲＵにも知られ得る。
【０１７３】
図２４は、マルチパネルＰＵＳＣＨ送信のためのＳＲＳリソース関連付けベースのビーム表示の一例を示す。２４０２において、４つのＳＲＳリソースが２つのＷＴＲＵパネルに関連付けられ得る。２４０４において、ＳＲＳ−ＳｐａｔｉａｌＲｅｌａｔｉｏｎＩｎｆｏまたはＤＣＩフィールドなどの上位レイヤパラメータに従って、各ＳＲＳリソースは、各ＷＴＲＵパネル内の特定のビームに関連付けられ得る。２４０６において、ＷＴＲＵは、ネットワークから拡張されたＳＲＩフィールド（ＳＲＩ＃２およびＳＲＩ＃３）を受信すると、ＷＴＲＵパネル１からのビーム３とＷＴＲＵパネル２からのビーム１とが将来のＰＵＳＣＨ送信のために選択されることを知り得る。複数のＷＴＲＵパネルからの同時送信の場合、フィールドは、異なるパネルからの異なるデータが送信される構成か、または異なるパネルから同じデータが送信される構成の２つの異なる構成のうちの１つを示し得る。図２４では、ＷＴＲＵは、限定された情報を用いてパネルまたはビームを自己決定し得る。
【０１７４】
図２５は、ＰＵＣＣＨまたはＰＵＳＣＨのためのビーム表示のためのＴＣＩ状態を使用する一例を示す。ＰＵＣＣＨまたはＰＵＳＣＨのためのパネル固有のＵＬビーム選択はＤＬ  ＲＳに基づき得る。選択はまた、ＴＣＩ状態を利用し得る。これは、無視できないビームスイープ遅延、エネルギー消費量、およびシグナリングオーバーヘッドを伴い得るＳＲＳベースのＵＬ  ＢＭを回避し得る。この構成はまた、一度にＷＴＲＵアクティブパネルの最小数を達成するために一度にアクティブなＷＴＲＵパネルの数を低減するか、またはオーバーヘッドもしくはシグナリングを低減し得る。２５０２において、ＴＲＰ１とＷＴＲＵとの間のＤＬ送信のためのアクティブなＢＰＬと、ＴＲＰ２とＷＴＲＵとの間のＵＬ送信のためのアクティブなＢＰＬとが構成され得る。ＷＴＲＵパネル１およびパネル２の両方からの同時送信が望まれない場合、ＷＴＲＵは、電力節約のために一度に１つのアクティブなパネルを利用し得る。
【０１７５】
２５０２では、ＷＴＲＵパネル２のビーム２がＵＬ  ＴＸのために示され得、ＷＴＲＵパネル１のビーム２がＤＬ  ＲＸのために示される。図２５との関連でＰＵＣＣＨまたはＰＵＳＣＨのためのビーム表示のためのＴＣＩエントリの例を伴う表をもつ図２６に示すように、ＴＣＩ状態３がＵＬビーム表示のために使用される場合、ＴＣＩ状態３中のＣＲＩ＃３は、ＷＴＲＵパネル１のビーム４がＵＬ  ＴＸのために使用され得ることを示し得、これは、ＵＬ  ＴＸとＤＬ  ＲＸとの両方が同じＷＴＲＵパネル１からのものであり得ることを意味する。したがって、ＷＴＲＵパネル２は、電力節約目的のためにオフにされるかまたは非アクティブ化され得る。２５０４において、ＷＴＲＵが回転するとき、ＵＬ  ＴＸビームとＤＬ  ＲＸビーム表示との両方が必要とされ得る。ＴＣＩ状態４がＵＬビーム表示のために使用される場合、対応するＵＬ  ＴＸビームは、ＤＬビーム表示が完了したときに自動的に更新され得る。
【０１７６】
特徴および要素について、特定の組合せで上記で説明したが、各特徴または要素が単独でまたは他の特徴および要素との任意の組合せで使用され得ることを、当業者は諒解されよう。さらに、本明細書で説明する方法は、コンピュータまたはプロセッサが実行するためのコンピュータ可読媒体に組み込まれたコンピュータプログラム、ソフトウェア、またはファームウェアで実装され得る。コンピュータ可読媒体の例は、（ワイヤードまたはワイヤレス接続を介して送信される）電子信号およびコンピュータ可読記憶媒体を含む。コンピュータ可読記憶媒体の例は、限定はしないが、読取り専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気メディア、光磁気メディア、ならびにＣＤ−ＲＯＭディスクおよびデジタル多用途ディスク（ＤＶＤ）などの光メディアを含む。ソフトウェアに関連するプロセッサは、ＷＴＲＵ、ＵＥ、端末、基地局、ＲＮＣ、または任意のホストコンピュータにおいて使用するための無線周波数トランシーバを実装するために使用され得る。
【図１Ａ】
2021520705.tif 000003
【図１Ｂ】
2021520705.tif 000004
【図１Ｃ】
2021520705.tif 000005
【図１Ｄ】
2021520705.tif 000006
【図２】
2021520705.tif 000007
【図３】
2021520705.tif 000008
【図４】
2021520705.tif 000009
【図５】
2021520705.tif 000010
【図６】
2021520705.tif 000011
【図７】
2021520705.tif 000012
【図８】
2021520705.tif 000013
【図９】
2021520705.tif 000014
【図１０】
2021520705.tif 000015
【図１１】
2021520705.tif 000016
【図１２】
2021520705.tif 000017
【図１３】
2021520705.tif 000018
【図１４】
2021520705.tif 000019
【図１５】
2021520705.tif 000020
【図１６】
2021520705.tif 000021
【図１７】
2021520705.tif 000022
【図１８】
2021520705.tif 000023
【図１９】
2021520705.tif 000024
【図２０】
2021520705.tif 000025
【図２１】
2021520705.tif 000026
【図２２】
2021520705.tif 000027
【図２３】
2021520705.tif 000028
【図２４】
2021520705.tif 000029
【図２５】
2021520705.tif 000030
【図２６】
2021520705.tif 000031
【図２７】
2021520705.tif 000032
【手続補正書】
【提出日】令和2年12月1日(2020.12.1)
【手続補正１】
【補正対象書類名】特許請求の範囲
【補正対象項目名】全文
【補正方法】変更
【補正の内容】
【特許請求の範囲】
【請求項１】
トランシーバとプロセッサを備えたワイヤレス送信／受信ユニット（ＷＴＲＵ）であって、
前記トランシーバは、サウンディング参照信号（ＳＲＳ）リソース構成情報を受信するように構成され、
前記トランシーバは、ダウンリンク制御情報（ＤＣＩ）中でＳＲＳトリガ、ビーム表示（ビームＩＤ）情報、およびパネル表示（パネルＩＤ）を受信するようにさらに構成され、前記ＳＲＳトリガは１つまたは複数のＳＲＳリソースセットに対するものであり、
前記プロセッサは、前記ビームＩＤまたは前記ＳＲＳリソース構成情報に基づいて、少なくとも１つのＷＴＲＵパネルを決定するように構成され、
前記プロセッサは、前記ビームＩＤ情報に基づいて、前記決定された少なくとも１つのＷＴＲＵパネルに対する少なくとも１つのスイープビームを決定するようにさらに構成され、前記ビームＩＤ情報は、開始ビームＩＤ、ステップサイズ、および終了ビームＩＤ、もしくはビームＩＤのリストを含み、または前記ビームＩＤ情報は、中央および１／２範囲パラメータを示し、
前記プロセッサは、前記決定された少なくとも１つのＷＴＲＵパネルおよび前記決定された少なくとも１つのスイープビームを用いてアップリンク（ＵＬ）ビームスイープを実行するようにさらに構成され、
前記トランシーバは、物理アップリンク共有チャネル（ＰＵＳＣＨ）に関して少なくとも２つのＷＴＲＵパネルに対する１つまたは複数のＳＲＳリソースインジケータ（ＳＲＩ）を受信するようにさらに構成されている、
ＷＴＲＵ。
【請求項２】
前記少なくとも１つのスイープビームは、前記ＤＣＩ中の前記ＳＲＳトリガ中の繰り返しフィールド、または最後のまたは前のＷＴＲＵダウンリンク（ＤＬ）またはＵＬビーム測定結果にさらに基づいて、決定される、請求項１に記載のＷＴＲＵ。
【請求項３】
前記繰り返しフィールドは、Ｕ−２またはＵ−３プロシージャを実行するＷＴＲＵに関して、前記ＷＴＲＵで空間領域送信フィルタがオンであるかオフであるかを示す、請求項２に記載のＷＴＲＵ。
【請求項４】
前記ＳＲＳリソース構成情報は、前記１つまたは複数のＳＲＳリソースセットのうちのＳＲＳリソースセットまたはＳＲＳリソースとＷＴＲＵパネルとの関連付けを示す情報を含む、請求項１に記載のＷＴＲＵ。
【請求項５】
前記決定された少なくとも１つのＷＴＲＵパネルは、マルチ送信受信ポイント（ＴＲＰ）動作のためのＴＲＰに関連付けられており、物理アップリンク共有チャネル（ＰＵＳＣＨ）についてＳＲＩが決定される、請求項１に記載のＷＴＲＵ。
【請求項６】
１つまたは複数の送信受信ポイント（ＴＲＰ）についての前記ビームＩＤ情報に基づいて、前記決定された少なくとも１つのＷＴＲＵパネルに対する前記少なくとも１つのスイープビームを決定するように構成された前記プロセッサをさらに備えた、請求項１に記載のＷＴＲＵ。
【請求項７】
各アップリンク（ＵＬ）帯域幅部分（ＢＷＰ）または複数のＵＬ  ＢＷＰについてのＳＲＳフィールド情報を受信するようにさらに構成されたトランシーバをさらに備え、前記ＳＲＳフィールド情報は、ＳＲＳ  Ｒｅｓ  ｓｅｔフィールド、ＳＲＳ  Ｒｅｓ  ｒｅｐフィールド、ならびに、中央ＲＳ  ＩＤフィールドおよびビーム範囲フィールドを含むビーム表示フィールドを複数のサブフィールドを含む、請求項１に記載のＷＴＲＵ。
【請求項８】
ワイヤレス送信／受信ユニット（ＷＴＲＵ）によって実行される方法であって、
前記ＷＴＲＵによって、サウンディング参照信号（ＳＲＳ）リソース構成情報を受信することと、
前記ＷＴＲＵによって、ダウンリンク制御情報（ＤＣＩ）中でＳＲＳトリガ、ビーム表示（ビームＩＤ）情報、およびパネル表示（パネルＩＤ）を受信することであって、前記ＳＲＳトリガは１つまたは複数のＳＲＳリソースセットに対するものである、ことと、
前記ＷＴＲＵによって、前記ビームＩＤまたは前記ＳＲＳリソース構成情報に基づいて、少なくとも１つのＷＴＲＵパネルを決定することと、
前記ＷＴＲＵによって、前記ビームＩＤ情報に基づいて、前記決定された少なくとも１つのＷＴＲＵパネルに対する少なくとも１つのスイープビームを決定することであって、前記ビームＩＤ情報は、開始ビームＩＤ、ステップサイズ、および終了ビームＩＤ、もしくはビームＩＤのリストを含む、または前記ビームＩＤ情報は、中央および１／２範囲パラメータを示す、ことと、
前記ＷＴＲＵによって、前記決定された少なくとも１つのＷＴＲＵパネルおよび前記決定された少なくとも１つのスイープビームを用いてアップリンク（ＵＬ）ビームスイープを実行することと、
前記ＷＴＲＵによって、物理アップリンク共有チャネル（ＰＵＳＣＨ）に関して少なくとも２つのＷＴＲＵパネルに対する１つまたは複数のＳＲＳリソースインジケータ（ＳＲＩ）を受信することと、
を含む、方法。
【請求項９】
前記少なくとも１つのスイープビームは、前記ＤＣＩ中の前記ＳＲＳトリガ中の繰り返しフィールド、または最後のまたは前のＷＴＲＵダウンリンク（ＤＬ）またはＵＬビーム測定結果にさらに基づいて、決定される、請求項８に記載の方法。
【請求項１０】
前記繰り返しフィールドは、Ｕ−２またはＵ−３プロシージャを実行するＷＴＲＵに関して、前記ＷＴＲＵで空間領域送信フィルタがオンであるかオフであるかを示す、請求項９に記載の方法。
【請求項１１】
前記ＳＲＳリソース構成情報は、前記１つまたは複数のＳＲＳリソースセットのうちのＳＲＳリソースセットまたはＳＲＳリソースとＷＴＲＵパネルとの関連付けを示す情報を含む、請求項８に記載の方法。
【請求項１２】
前記決定された少なくとも１つのＷＴＲＵパネルは、マルチ送信受信ポイント（ＴＲＰ）動作のためのＴＲＰに関連付けられており、物理アップリンク共有チャネル（ＰＵＳＣＨ）についてＳＲＩが決定される、請求項８に記載の方法。
【請求項１３】
前記ＷＴＲＵによって、１つまたは複数の送信受信ポイント（ＴＲＰ）についての前記ビームＩＤ情報に基づいて、前記決定された少なくとも１つのＷＴＲＵパネルに対する前記少なくとも１つのスイープビームを決定することをさらに含む、請求項８に記載の方法。
【請求項１４】
前記ＷＴＲＵによって、各アップリンク（ＵＬ）帯域幅部分（ＢＷＰ）または複数のＵＬ  ＢＷＰについてのＳＲＳフィールド情報を受信することをさらに含み、前記ＳＲＳフィールド情報は、ＳＲＳ  Ｒｅｓ  ｓｅｔフィールド、ＳＲＳ  Ｒｅｓ  ｒｅｐフィールド、ならびに、中央ＲＳ  ＩＤフィールドおよびビーム範囲フィールドを含むビーム表示フィールドを複数のサブフィールドを含む、請求項８に記載の方法。
【請求項１５】
ビームスイープは、少なくとも１つの最適なＵＬ送信ビームを識別するためのインターバルの間に複数の事前決定された方向にビームを送信することを含む、請求項８に記載の方法。
【国際調査報告】
2021520705.tif 000033
2021520705.tif 000034